(57)【要約】【課題】煩雑な調整作業を繰り返さなくても各部の設定状態を容易に再現できる顕微鏡システムを提供する。【解決手段】標本１０Ａを載置するステージ１１と、標本の一部領域の像を観察する観察手段１２〜１５，１８，２１，２２，３１，３２，３５，３６，４０，４７と、前記ステージおよび／または前記観察手段を調整することで、前記標本の観察位置および／または観察条件を調整する調整手段４１〜４７と、外部からの第１の指示にしたがい、該指示が入力されたときの観察位置および観察条件を関連づけて登録する登録手段４０と、外部からの第２の指示にしたがい、登録手段によって関連づけて登録された観察位置および観察条件を読み出し、該観察位置および該観察条件に基づいて前記標本の観察像を再現するために調整手段を制御する制御手段とを備える。【選択図】      図１
2004309768.tif 000002
【特許請求の範囲】
【請求項１】
標本を載置するステージと、
前記標本の一部領域の像を観察する観察手段と、
前記ステージおよび／または前記観察手段を調整することで、前記標本の観察位置および／または観察条件を調整する調整手段と、
外部からの第１の指示にしたがい、該指示が入力されたときの前記観察位置および前記観察条件を関連づけて登録する登録手段と、
外部からの第２の指示にしたがい、前記登録手段によって関連づけて登録された前記観察位置および前記観察条件を読み出し、該観察位置および該観察条件に基づいて前記標本の観察像を再現するために前記調整手段を制御する制御手段とを備えたことを特徴とする顕微鏡システム。
【請求項２】
請求項１に記載の顕微鏡システムにおいて、
前記登録手段は、前記第１の指示が入力されたときの前記観察位置および前記観察条件を前記標本ごとに登録し、前記標本ごとのファイルを作成し、
前記制御手段は、前記登録手段に登録済みの前記標本が前記ステージに再載置されると、前記標本の前記ファイルを特定する特定手段を有し、該特定手段によって特定された前記ファイルから前記観察位置および前記観察条件を読み出して前記調整手段を制御することを特徴とする顕微鏡システム。
【請求項３】
請求項２に記載の顕微鏡システムにおいて、
前記標本のマクロ画像を取り込む画像取込手段をさらに備え、
前記登録手段は、前記ファイルに関連づけて前記標本ごとに前記マクロ画像の登録も行い、
前記特定手段は、前記ステージに載置されている前記標本に対して前記画像取込手段が取り込んだ前記マクロ画像と、前記登録手段によって登録された前記マクロ画像とを比較し、前記載置されている標本の前記ファイルを特定することを特徴とする顕微鏡システム。
【請求項４】
請求項２に記載の顕微鏡システムにおいて、
前記ファイルの名前を入力する入力手段をさらに備え、
前記特定手段は、前記入力手段によって入力された前記名前に基づいて、前記ステージに載置されている前記標本の前記ファイルを特定することを特徴とする顕微鏡システム。
【請求項５】
請求項１から請求項４の何れか１項に記載の顕微鏡システムにおいて、
前記ステージと前記観察手段と前記調整手段とが内部に収容される筐体をさらに備えたことを特徴とする顕微鏡システム。
【発明の詳細な説明】
【発明の属する技術分野】
本発明は、標本の観察に用いられる顕微鏡システムに関する。
【従来の技術】
従来より、標本を載置するステージの移動や対物レンズの倍率の切り替えなどを電動で制御可能な顕微鏡システムが知られている。また、標本の一部領域の画像（例えば拡大画像）を取り込み、これをモニタに表示すると共にメモリに保存するように構成された顕微鏡システムも知られている（例えば特許文献１参照）。メモリに保存された画像は、後から読み出して再生可能である。再生可能とは、モニタに表示可能の意味である。
【特許文献１】
特開平５−２４１０７５号公報
【発明が解決しようとする課題】
しかしながら、上記した従来の顕微鏡システムでは、標本の一部領域の画像を取り込む際の各部の設定状態（ステージ位置や対物レンズ倍率など）を再現することが非常に難しかった。このため、標本の所定の位置を同じ条件で再び観察する場合、以前と同様の煩雑な調整作業を再び実行することにより、各部の設定状態（ステージ位置や対物レンズ倍率など）を再現しなければならなかった。
本発明の目的は、煩雑な調整作業を繰り返さなくても各部の設定状態を容易に再現できる顕微鏡システムを提供することにある。
【課題を解決するための手段】
請求項１に記載の顕微鏡システムは、標本を載置するステージと、前記標本の一部領域の像を観察する観察手段と、前記ステージおよび／または前記観察手段を調整することで、前記標本の観察位置および／または観察条件を調整する調整手段と、外部からの第１の指示にしたがい、該指示が入力されたときの前記観察位置および前記観察条件を関連づけて登録する登録手段と、外部からの第２の指示にしたがい、前記登録手段によって関連づけて登録された前記観察位置および前記観察条件を読み出し、該観察位置および該観察条件に基づいて前記標本の観察像を再現するために前記調整手段を制御する制御手段とを備えたものである。
請求項２に記載の発明は、請求項１に記載の顕微鏡システムにおいて、前記登録手段は、前記第１の指示が入力されたときの前記観察位置および前記観察条件を前記標本ごとに登録し、前記標本ごとのファイルを作成し、前記制御手段は、前記登録手段に登録済みの前記標本が前記ステージに再載置されると、前記標本の前記ファイルを特定する特定手段を有し、該特定手段によって特定された前記ファイルから前記観察位置および前記観察条件を読み出して前記調整手段を制御するものである。
請求項３に記載の発明は、請求項２に記載の顕微鏡システムにおいて、前記標本のマクロ画像を取り込む画像取込手段をさらに備え、前記登録手段は、前記ファイルに関連づけて前記標本ごとに前記マクロ画像の登録も行い、前記特定手段は、前記ステージに載置されている前記標本に対して前記画像取込手段が取り込んだ前記マクロ画像と、前記登録手段によって登録された前記マクロ画像とを比較し、前記載置されている標本の前記ファイルを特定するものである。
請求項４に記載の発明は、請求項２に記載の顕微鏡システムにおいて、前記ファイルの名前を入力する入力手段をさらに備え、前記特定手段は、前記入力手段によって入力された前記名前に基づいて、前記ステージに載置されている前記標本の前記ファイルを特定するものである。
請求項５に記載の発明は、請求項１から請求項４の何れか１項に記載の顕微鏡システムにおいて、前記ステージと前記観察手段と前記調整手段とが内部に収容される筐体をさらに備えたものである。
【発明の実施の形態】
以下、図面を用いて本発明の実施形態を詳細に説明する。
本発明の本実施形態は、請求項１，請求項２，請求項３，請求項５に対応する。
本実施形態の顕微鏡システム１０は、図１に示すように、観察対象となる標本１０Ａを載置するステージ部１１と、標本１０Ａを照明する照明部（１２〜１６）と、標本１０Ａの拡大像を形成する結像部（１７〜２１）と、標本１０Ａの拡大像を撮像するＣＣＤカメラ２２と、制御部２３と、モニタ２４と、入力装置２５とで構成されている。
このうち、ステージ部１１，照明部（１２〜１６），結像部（１７〜２１），ＣＣＤカメラ２２，制御部２３は、顕微鏡システム１０の筐体２６の内部に収容され（図２（Ａ）参照）、モニタ２４，入力装置２５は、筐体２６の外部に配置されている。顕微鏡システム１０は、ＣＣＤカメラ内蔵の箱形の顕微鏡システムである。
顕微鏡システム１０には外部メモリ２７が装着可能である。外部メモリ２７はＣＦメモリなどの外部記憶装置である。
また、顕微鏡システム１０の筐体２６の内部において、照明部（１２〜１６）はステージ部１１の下方に配置され、結像部（１７〜２１），ＣＣＤカメラ２２はステージ部１１の上方に配置されている。顕微鏡システム１０は、標本１０Ａを透過照明で観察する装置である。
次に、本実施形態の顕微鏡システム１０の各構成要素（１２〜２５）について個別に説明する。
ステージ部１１は、ｘ方向，ｙ方向に移動可能な電動ステージと、電動ステージのｘ位置，ｙ位置を検出するカウンタとで構成される（何れも不図示）。ステージ部１１は、筐体２６の開口２６Ａから外部への移動（図２（Ａ）参照）も可能である。ステージ部１１が筐体２６の内外間で移動する際の経路は、顕微鏡システム１０の２つの観察光路１０Ｂ，１０Ｃを横切っている。
ステージ部１１にプレパラート（標本１０Ａ）が載置されているか否かを検出するため、筐体２６の内部には、図１，図２（Ｂ），（Ｃ）に示すように、ステージ部１１にプレパラート押さえ１１Ａが設けられ、開口２６Ａの下部にセンサ３９が設けられる。プレパラート押さえ１１Ａは、軸１１Ｂを中心に回転可能であり、プレパラートがステージ部１１に載置されていないとき（図２（Ｂ）の状態）、一端がセンサ３９の中に位置する。そして、プレパラートがステージ部１１に載置された状態で筐体２６の外部から内部に入るとき（図２（Ｃ）の状態）、他端がプレパラートによって押され、一端がセンサ３９の外に出る。このためセンサ３９は、プレパラート押さえ１１Ａの一端の有無に応じて、ステージ部１１上でのプレパラートの有無を検出する。
ステージ部１１は、制御部２３のステージ制御回路４３を介してコントローラ４０に接続される。ステージ制御回路４３は、コントローラ４０からの制御信号に基づいて、ステージ部１１の電動ステージをｘ方向，ｙ方向に移動させ、ステージ部１１による標本１０Ａの観察位置を調整する。また、ステージ部１１のカウンタの値を読み取り、電動ステージのｘ位置，ｙ位置に関わる信号をコントローラ４０に出力する。
照明部（１２〜１６）は、一方の観察光路１０Ｂ上に配置された照明光源１２，拡散板１３，コンデンサレンズ１４，開口絞り１５と、他方の観察光路１０Ｃ上に配置された照明光源１６とで構成されている。
一方の照明光源１２から射出された光は、拡散板１３によって均一化され、コンデンサレンズ１４によって集光され、開口絞り１５を介して観察光路１０Ｂ上の標本１０Ａの一部領域に入射する。そして、この一部領域を透過した光は、結像部（１７〜２１）に導かれる。
他方の照明光源１６から射出された光は、観察光路１０Ｃ上の標本１０Ａに入射する。このとき標本１０Ａは、半分の領域が面状に照明される。そして、この半分の領域を透過した光も、結像部（１７〜２１）に導かれる。照明光源１６は、標本１０Ａを含む広い範囲（プレパラート全体）の観察時に使用される。
照明光源１２，１６は、制御部２３の照明制御回路４１を介してコントローラ４０に接続される。照明制御回路４１は、コントローラ４０からの制御信号に基づいて、照明光源１２，１６を点灯／消灯すると共に、照明光源１２の照明輝度を調整する。また、照明光源１２の照明輝度に関わる信号をコントローラ４０に出力する。
絞り１５は、制御部２３の絞り制御回路４２を介してコントローラ４０に接続される。絞り制御回路４２は、コントローラ４０からの制御信号に基づいて、絞り１５を調整し、後述する対物レンズ３１，３２の開口数に応じた絞り量に設定する。また、絞り１５の絞り量に関する信号をコントローラ４０に出力する。
結像部（１７〜２１）は、対物レンズ部１７と、ミラー１８，１９と、縮小レンズ部２０と、ミラー２１とで構成されている。ここで、ミラー１８は観察光路１０Ｂ上に配置され、ミラー１９は観察光路１０Ｃ上に配置されている。ミラー１８，１９による反射後の観察光路１０Ｄは共通である。ミラー２１は、観察光路１０Ｄ上に配置され、ミラー１８，１９により裏返しになった像を表像に戻すための光学素子である。
さて、対物レンズ部１７と縮小レンズ部２０について説明する。
対物レンズ部１７は、４０倍の対物レンズ３１と、１０倍の対物レンズ３２と、通過穴３３と、センサ３４とで構成されている。そして、対物レンズ３１，３２のうち何れか１つを観察光路１０Ｂに挿入可能である。観察光路１０Ｂに挿入されている対物レンズの種類（３１または３２）は、センサ３４によって検知される。通過穴３３は、観察光路１０Ｃ上に配置されている。
対物レンズ部１７は、制御部２３のフォーカス制御回路４４および対物レンズ駆動回路４５を介してコントローラ４０に接続されている。フォーカス制御回路４４は、コントローラ４０からの制御信号に基づいて、対物レンズ部１７を全体的に上下動させ、焦点合わせを行う。また、対物レンズ（３１または３２）の焦点位置に関わる信号をコントローラ４０に出力する。
対物レンズ駆動回路４５は、コントローラ４０からの制御信号に基づいて、対物レンズ部１７の対物レンズ３１または対物レンズ３２を観察光路１０Ｂ上に位置決めする。観察光路１０Ｂに挿入された対物レンズの種類（３１または３２）を表す信号（センサ３４の検知信号）は、センサ３４からコントローラ４０に出力される。
縮小レンズ部２０は、１／２倍の縮小レンズ３５と、１倍の縮小レンズ３６と、通過穴３７と、センサ３８とで構成される。そして、縮小レンズ３５，３６，通過穴３７のうち何れか１つを観察光路１０Ｄに挿入可能である。センサ３８は、観察光路１０Ｄに挿入されている縮小レンズの種類（３５または３６）を検知するためのものである。
縮小レンズ部２０は、制御部２３の縮小レンズ駆動回路４６を介してコントローラ４０に接続されている。縮小レンズ駆動回路４６は、コントローラ４０からの制御信号に基づいて、縮小レンズ部２０の縮小レンズ３５または縮小レンズ３６または通過穴３７を観察光路１０Ｄ上に位置決めする。観察光路１０Ｄに挿入された縮小レンズの種類（３４または３５）を表す信号（センサ３８の検知信号）は、センサ３８からコントローラ４０に出力される。
ここで、観察光路１０Ｄに縮小レンズ（３４または３５）が挿入されるとき、ステージ部１１上の標本１０Ａは、一方の観察光路１０Ｂ上に位置決めされ、照明光源１２からの光によって一部領域が照明される。
このとき、標本１０Ａを透過した光は、対物レンズ（３１または３２）を介して平行光に変換され、ミラー１８で反射した後、縮小レンズ（３４または３５）で集光され、ミラー２１を介して所定面２Ａ（ＣＣＤカメラ２２の撮像面）に結像される。
標本１０Ａの像の拡大倍率は、２つの対物レンズ（３１，３２）のうち観察光路１０Ｂに挿入されている方と、２つの縮小レンズ（３５，３６）のうち観察光路１０Ｄに挿入されている方との組み合わせに応じて、４通り存在する（５倍，１０倍，２０倍，４０倍）。
また、観察光路１０Ｄに縮小レンズ部２０の通過穴３７が挿入されるとき、ステージ部１１上の標本１０Ａは、他方の観察光路１０Ｃ上に位置決めされ、照明光源１６からの光によって半分の領域が照明される。ミラー１８は、観察光路１０Ｄの外に配置される。
このとき、標本１０Ａを透過した光は、対物レンズ部１７の通過穴３３→ミラー１９→縮小レンズ部２０の通過穴３７→ミラー２１という経路を通って、所定面２Ａ（ＣＣＤカメラ２２の撮像面）に到達する。この経路は、標本１０Ａを含む広い範囲（プレパラート全体）の観察時のものである。
ＣＣＤカメラ２２は、ＣＣＤ（電荷結合素子）を用いた２次元撮像素子であり、ｘｙ方向に２次元配列された複数の受光部を有する。ＣＣＤカメラ２２は、所定面２Ａに形成された標本１０Ａの像を撮像して画像信号を出力する。出力先は、制御部２３のＣＣＤ制御回路４７である。
ＣＣＤ制御回路４７は、コントローラ４０からの制御信号に基づいて、ＣＣＤカメラ２２にタイミング信号を出力する。このタイミング信号は、ＣＣＤカメラ２２の各受光部に蓄積された電荷を転送させるためのクロック信号である。ＣＣＤカメラ２２では、ＣＣＤ制御回路４７からのタイミング信号に基づいて電荷を転送し、画像信号（アナログ信号）を出力する。
また、ＣＣＤ制御回路４７は、コントローラ４０からの制御信号に基づいて、ＣＣＤカメラ２２が画像信号を出力する際の電子ズーム倍率（例えば１倍〜２倍の間の任意の倍率）を設定する。したがって、ＣＣＤカメラ２２からＣＣＤ制御回路４７には、電子ズーム倍率（例えば１倍〜２倍）に基づいて電気的に信号処理された後の画像信号が出力される。
そして、ＣＣＤ制御回路４７は、ＣＣＤカメラ２２からの画像信号（アナログ信号）を増幅し、ディジタル信号に変換して、コントローラ４０に出力する。また、電子ズーム倍率（例えば１倍〜２倍）に関わる信号も併せてコントローラ４０に出力する。
コントローラ４０には、制御部２３を構成する各々の回路（４１〜４７）や対物レンズ部１７のセンサ３４，縮小レンズ部２０のセンサ３８が接続されるだけでなく、モニタ２４，入力装置２５，外部メモリ２７も接続される。また、コントローラ４０の内部には、図３に示すように、４つのフレームメモリＡ〜Ｄが設けられている。
コントローラ４０は、ＣＣＤ制御回路４７からのディジタル信号を取り込むと、これをフレームメモリＡに一旦格納し（図３の矢印▲１▼）、その後、モニタ２４に出力する（矢印▲２▼）。その結果、モニタ２４の画面２４Ａ（図１）には、標本１０Ａの画像（静止画像）が表示される。
さらに詳しく説明すると、観察光路１０Ｂ上の対物レンズ（３１または３２）と観察光路１０Ｄ上の縮小レンズ（３５または３６）を経てＣＣＤカメラ２２に到達した光に起因する画像（以下「顕微鏡画像」という）は、モニタ２４の画面２４Ａのうち、図４に示す分割領域５１に表示される。分割領域５１の顕微鏡画像は、標本１０Ａの一部領域の画像である。顕微鏡システム１０では、分割領域５１の顕微鏡画像に基づいて標本１０Ａの一部領域の像を観察することができる。
分割領域５１の顕微鏡画像の倍率（表示倍率）は、ＣＣＤカメラ２２が標本１０Ａの拡大像を撮像するときに観察光路１０Ｂ，１０Ｄに挿入されていた拡大光学系の倍率（５倍，１０倍，２０倍，４０倍）と、ＣＣＤカメラ２２が画像信号を出力するときに設定された電子ズーム倍率（例えば１倍〜２倍）との積で決まる。
標本１０Ａの一部領域の像を観察する際の条件（観察条件）は、制御部２３を構成する各々の回路（４１，４２，４４〜４７）によって調整可能である。これらの回路（４１，４２，４４〜４７）とステージ制御回路４３は総じて請求項の「調整手段」に対応する。なお、観察光路１０Ｂ上の光学素子（１２〜１５，３１，３２，１８）と観察光路１０Ｄ上の光学素子（３５，３６，２１）とＣＣＤカメラ２２とＣＣＤ制御回路４７とコントローラ４０は総じて請求項の「観察手段」に対応する。
また、観察光路１０Ｃ上の通過穴３３と観察光路１０Ｄ上の通過穴３７を経てＣＣＤカメラ２２に到達した光に起因する画像（以下「標本全体画像」という）は、モニタ２４の画面２４Ａのうち、図４に示す分割領域５２に表示される。分割領域５２の標本全体画像は、標本１０Ａを含む広い範囲（プレパラート全体）の画像であり、請求項の「マクロ画像」に対応する。
観察光路１０Ｃ上の光学素子（１６，１９），通過穴３３と観察光路１０Ｄ上の光学素子（２１），通過穴３７とＣＣＤカメラ２２とＣＣＤ制御回路４７とコントローラ４０は総じて請求項の「画像取込手段」に対応する。
ここで、モニタ２４の画面２４Ａの表示内容（画像以外の内容）について説明する。なお、コントローラ４０が顕微鏡画像と標本全体画像をモニタ２４の画面２４Ａ（分割領域５１，５２）に表示する際に使用したフレームメモリＡ以外のフレームメモリＢ〜Ｄ（図３）については後で説明する。
モニタ２４の画面２４Ａの分割領域５２には、標本全体画像に重ねて十字カーソル５２Ａが表示されている。十字カーソル５２Ａは、観察光路１０Ｂの現在の位置を表している。これは、分割領域５１に表示されている顕微鏡画像の概略位置に相当する。
また、モニタ２４の画面２４Ａには、上記した分割領域５１，５２の他に、操作メニューを表示するための分割領域５３と、マーカーメニューを表示するための分割領域５４とが確保されている。
分割領域５３の操作メニューには、図５に示すように、方向ボタン６１と、拡大倍率ボタン６２と、フォーカス上下ボタン６３と、電子ズームボタン６４と、絞りボタン６５と、輝度ボタン６６と、保存ボタン６７と、ロードボタン６８と、入力ボックス６９とが設けられる。
観察者が操作メニューの各々のボタン（６１〜６８）をマウスなどの入力装置２５によりクリックすると、コントローラ４０には、様々な指示が入力される。そして、コントローラ４０は、外部からの指示にしたがって、制御部２３の各々の回路（４１〜４７）に制御信号を出力し、顕微鏡システム１０の各部を電動で制御する。
方向ボタン６１は、ステージ部１１をｘｙ方向に移動させるためのものである。拡大倍率ボタン６２は、観察光路１０Ｂに挿入する対物レンズ（３１，３２）と観察光路１０Ｄに挿入する縮小レンズ（３５，３６）の組み合わせを切り替えるためのものである。フォーカス上下ボタン６３は、対物レンズ部１７を上下動させてフォーカス調整を行うためのものである。
電子ズームボタン６４は、ＣＣＤカメラ２２が画像信号を出力する際の電子ズーム倍率を指示するためのものである。絞りボタン６５は、絞り１５の絞り量を指示するためのものである。輝度ボタン６６は、照明光源１２の照明輝度を指示するためのものである。
保存ボタン６７は、分割領域５１に表示されている顕微鏡画像のみを外部メモリ２７に保存するためのものである。ロードボタン６８は、標本１０Ａを顕微鏡システム１０の筐体２６から出し入れするためのものである（詳細は後述する）。入力ボックス６９は、後述の登録時や再生時に、対象ファイルの名前を入力するためのものである。
また、分割領域５４のマーカーメニューには、図６（Ａ）に示すように、登録ボタン７１と、クリアボタン７２と、番号ボタン７３と、再現ボタン７４と、再生ボタン７５とが設けられる。
観察者がマーカーメニューの各々のボタン（７１〜７５）をマウスなどの入力装置２５によりクリックすると、コントローラ４０には、様々な指示が入力される。そして、コントローラ４０は、外部からの指示にしたがって、外部メモリ２７との間でファイルやデータの授受を行う（登録手段）。また、制御部２３の各々の回路（４１〜４７）に制御信号を出力し、顕微鏡システム１０の各部を電動で制御する（制御手段）。
登録ボタン７１は、分割領域５１に表示されている顕微鏡画像と、そのときの各部の設定状態（ステージ部のｘｙ位置，対物レンズ部の倍率，縮小レンズ部の倍率，絞り量，焦点位置，照明輝度）を外部メモリ２７に登録するためのものである（詳細は後述する）。クリアボタン７２は、登録ボタン７１による登録をクリアするためのものである。
本実施形態の顕微鏡システム１０では、１つの標本１０Ａについて最大１２箇所の登録を行うことができる。登録済の箇所には、１つの番号（１〜１２の何れか）が割り当てられ、その番号が実際に番号ボタン７３として表示される。
このため、例えば１２箇所で登録済の場合は、図６（Ａ）のように、全ての番号（「１」〜「１２」）が番号ボタン７３として表示される。また、例えば３箇所で登録済の場合は、図６（Ｂ）のように、３つの番号（「１」〜「３」）が番号ボタン７３として表示され、その他の未登録の番号（「４」〜「１２」）は非表示となる。
さらに、登録済の箇所に割り当てられた番号（１〜１２の何れか）は、図７に示すように、分割領域５２の標本全体画像の中にも表示される。図７の表示例は、図６（Ｂ）のように３箇所で登録済の場合に対応する。
再現ボタン７４は、顕微鏡システム１０の各部の設定状態（ステージのｘｙ位置，対物レンズの倍率，縮小レンズの倍率，絞り量，焦点位置，照明輝度）を再現するときに、再現メニューを読み込むためのものである（詳細は後述する）。再現メニューは、外部メモリ２７に保存されている。再生ボタン７５は、外部メモリ２７に保存されている顕微鏡画像を再生するときに、再生メニューを読み込むためのものである（詳細は後述する）。
次に、本実施形態の顕微鏡システム１０の動作について、図８〜図１０，図１３〜図１５のフローチャートを用いて説明する。図１０のフローチャートを説明するときに、図１１，図１２のファイル形式を参照する。
顕微鏡システム１０に電源が投入されると、コントローラ４０は、顕微鏡システム１０の各部を初期化し、図８〜図１０，図１３〜図１５のフローチャートによる制御を開始する。
まず初めに、図８に示すボタン入力検出処理について説明する。
コントローラ４０は、ステップＳ１〜Ｓ５の各々において、操作メニュー（図５）のロードボタン６８，マーカーメニュー（図６）の登録ボタン７１，番号ボタン７３，再現ボタン７４，再生ボタン７５が押されたか否かを監視する。
そして、ロードボタン６８が押されると（Ｓ１がＹｅｓ）、ステップＳ６のロード処理（詳細は図９）を実行する。登録ボタン７１が押されると（Ｓ２がＹｅｓ）、ステップＳ７の登録処理（詳細は図１０）を実行する。番号ボタン７３が押されると（Ｓ３がＹｅｓ）、ステップＳ８の番号処理（詳細は図１３）を実行する。再現ボタン７４が押されると（Ｓ４がＹｅｓ）、ステップＳ９の再現メニュー読込処理（詳細は図１４）を実行する。再生ボタン７５が押されると（Ｓ５がＹｅｓ）、ステップＳ１０の再生メニュー読込処理（詳細は図１５）を実行する。
なお、登録ボタン７１が押されたことによるコントローラ４０への指示は、請求項の「第１の指示」に対応する。また、標本１０Ａがステージ部１１上に載置されたままの状態で番号ボタン７３が押されたことによるコントローラ４０への指示、および、再現ボタン７４が押された後に番号ボタン７３が押されたことによるコントローラ４０への指示は、請求項の「第２の指示」に対応する。
まず、図９のロード処理（Ｓ１１〜Ｓ１５）について説明する。
操作メニュー（図５）のロードボタン６８が押されると、コントローラ４０は、ステージ部１１をｘ方向に移動させて、筐体２６の開口２６Ａから外部へ吐き出す（ステップＳ１１）（図２の状態）。このとき観察者はステージ部１１の上に標本１０Ａを載置することができる。また、既に標本１０Ａが載置されている場合には、ステージ部１１の上から標本１０Ａを取り除くことができる。
その後、ロードボタン６８が再度押されると（ステップＳ１２がＹｅｓ）、コントローラ４０は、ステージ部１１をｘ方向に移動させて、筐体２６の開口２６Ａから内部に取り込む。このとき、ステージ部１１と共に標本１０Ａも内部に取り込まれる。または、標本１０Ａが取り除かれて空になったステージ部１１のみが内部に取り込まれる。
そして、ステージ部１１を筐体２６の内部に取り込む際、ステージ部１１上にプレパラート（標本１０Ａ）がある場合に（ステップＳ１４がＹｅｓ）、コントローラ４０は、ステップＳ１５の処理を実行する。
つまり、照明光源１６を点灯すると共に、ミラー１８を退避させ、縮小レンズ部２０の通過穴３７を観察光路１０Ｄに挿入する。そして、標本１０Ａが観察光路１０Ｃに到達したときに、２回のショットに分けて標本全体画像を取り込む。標本全体画像は、フレームメモリＡに一旦格納され（図３の矢印▲１▼）、モニタ２４の分割領域５２に表示される（矢印▲２▼）。同時に、フレームメモリＡからフレームメモリＣにも送られる（矢印▲３▼）。
このようにして図９のロード処理が終了すると、コントローラ４０は、図８のボタン入力検出処理に戻る。
ロード処理（図９）の後、ステージ部１１がさらに移動して、観察光路１０Ｂ上に標本１０Ａが到達すると、コントローラ４０は、照明光源１２を点灯し、ミラー１８を観察光路１０Ｄ上に挿入し、標本１０Ａの一部領域の観察状態とする。このとき、コントローラ４０に取り込まれた顕微鏡画像は、フレームメモリＡを介してモニタ２４の分割領域５１に表示される（図３の矢印▲１▼▲２▼）。
コントローラ４０は、モニタ２４の分割領域５３に表示された操作メニューのボタン（６１〜６６）が入力装置２５によりクリックされると、その指示にしたがって顕微鏡システム１０の各部を電動で制御し、モニタ２４の分割領域５１の顕微鏡画像を更新する。
次に、図１０の登録処理（Ｓ２１〜Ｓ２９）について説明する。
マーカーメニュー（図６）の登録ボタン７１が押されると、コントローラ４０は、ステージ部１１上の標本１０Ａについての登録数が既に最大（１２箇所）に達しているか否かを判定する（ステップＳ２１）。そして、まだ登録の余地がある場合のみ（Ｓ２１がＮｏ）、ステップＳ２２以降の処理を行う。
ステップＳ２２では、ステージ部１１上の標本１０Ａについての登録が１回目か否かを判定する。そして、１回目の場合には（Ｓ２２がＹｅｓ）、ステップＳ２３に進み、モニタ２４の分割領域５２の標本全体画像にファイル名（ＡＢＣ．ｂｍｐ）を付け、図３の矢印▲４▼のように、フレームメモリＣから外部メモリ２７に保存する。ファイル名（ＡＢＣ．ｂｍｐ）は、図５の操作メニューの入力ボックス６９から入力される。
次のステップＳ２４では、モニタ２４の分割領域５１の顕微鏡画像にファイル名（ＤＥＦ００１．ｂｍｐ）を付け、図３の矢印▲５▼のように、フレームメモリＡから外部メモリ２７に保存する。ファイル名（ＤＥＦ００１．ｂｍｐ）は、コントローラ４０が英数文字でランダムに任意に決定した名前である。現在の日時をファイル名としても構わない。
次のステップＳ２５では、現在の各部の設定状態（ステージ部のｘｙ位置，対物レンズ部の倍率，縮小レンズ部の倍率，絞り量，焦点位置，照明輝度）を、各々の回路（４１〜４７）やセンサ３４，３８から取得する。
そして、ステージ部１１上の標本１０Ａごとに状態ファイル（名前：ＡＢＣ．ｔｘｔ）を作成し、ステージ部１１のｘｙ位置（つまりステージ部１１による標本１０Ａの観察位置）および現在の観察条件（倍率，絞り量，焦点位置，照明輝度）を関連づけて、登録番号「１」と顕微鏡画像のファイル名（ＤＥＦ００１．ｂｍｐ）と共に登録する。
状態ファイルの名前（ＡＢＣ．ｔｘｔ）は、標本全体画像のファイル名（ＡＢＣ．ｂｍｐ）と関連づけてコントローラ４０が決定する。状態ファイル（名前：ＡＢＣ．ｔｘｔ）は、外部メモリ２７に保存される。
外部メモリ２７の中では、図１１に示すように、ステップＳ２３で保存された標本全体画像のファイル（名前：ＡＢＣ．ｂｍｐ）と、ステップＳ２５で保存された状態ファイル（名前：ＡＢＣ．ｔｘｔ）とが関連づけられ、さらに、状態ファイル（名前：ＡＢＣ．ｔｘｔ）と、ステップＳ２４で保存された顕微鏡画像のファイル（名前：ＤＥＦ００１．ｂｍｐ）とが関連づけられ、一群として保存されている。状態ファイル（名前：ＡＢＣ．ｔｘｔ）の内容は、例えば図１２に示すようになっている。
上記ステップＳ２５の処理が終わると、コントローラ４０は、次のステップＳ２６で、モニタ２４の分割領域５２の標本全体画像に今回の登録番号「１」を表示し（図７参照）、この登録番号「１」をマーカーメニュー（図６）に番号ボタン７３として表示する。現時点では、標本全体画像にもマーカーメニューにも登録番号「２」〜「１２」は非表示である。
このようにして図１０の登録処理（１回目）が終了すると、コントローラ４０は、図８のボタン入力検出処理に戻る。
そして再び登録ボタン７１が押されると、コントローラ４０は、ステップＳ２１を経てステップＳ２２に進み、ステージ部１１上の標本１０Ａについての登録が２回目以降であるため（Ｓ２２がＮｏ）、ステップＳ２７〜Ｓ２９の処理を行う。
ステップＳ２７では、モニタ２４の分割領域５１の顕微鏡画像に新たなファイル名（ＤＥＦ００＊．ｂｍｐ）を付けて、フレームメモリＡから外部メモリ２７に保存する（図３の矢印▲５▼）。ファイル名（ＤＥＦ００＊．ｂｍｐ）は、互いに重複しないように決定される。
次のステップＳ２８では、現在の各部の設定状態（ステージ部のｘｙ位置，対物レンズ部の倍率，縮小レンズ部の倍率，絞り量，焦点位置，照明輝度）を取得し、ステップＳ２５で作成された状態ファイル（名前：ＡＢＣ．ｔｘｔ）を更新する。つまり、ステージ部１１のｘｙ位置（つまりステージ部１１による標本１０Ａの観察位置）および現在の観察条件（倍率，絞り量，焦点位置，照明輝度）を関連づけて、登録番号「Ｎ」と顕微鏡画像のファイル名（ＤＥＦ００＊．ｂｍｐ）と共に登録する。更新後の状態ファイル（名前：ＡＢＣ．ｔｘｔ）も、外部メモリ２７に保存される。Ｎは２〜１２の整数である。
その結果、外部メモリ２７の中では、図１１，図１２に示すように、以前のステップＳ２３で保存された標本全体画像のファイル（名前：ＡＢＣ．ｂｍｐ）と、ステップＳ２８で保存された状態ファイル（名前：ＡＢＣ．ｔｘｔ）とが関連づけられ、さらに状態ファイル（名前：ＡＢＣ．ｔｘｔ）とステップＳ２７で保存された顕微鏡画像のファイル（名前：ＤＥＦ００＊．ｂｍｐ）とが関連づけられる。
上記ステップＳ２８の処理が終わると、コントローラ４０は、次のステップＳ２９で、モニタ２４の分割領域５２の標本全体画像に今回の登録番号「Ｎ」を表示し（図７参照）、この登録番号「Ｎ」をマーカーメニュー（図６）に番号ボタン７３として表示する。
このようにして図１０の登録処理（２回目）が終了すると、コントローラ４０は、図８のボタン入力検出処理に戻る。そして登録ボタン７１が押される度に、コントローラ４０は、ステップＳ２１→Ｓ２２→Ｓ２７→Ｓ２８→Ｓ２９の処理を繰り返す。登録番号「Ｎ」は、登録した順序で例えば昇順に付与される。登録ボタン７１が例えば合計３回押されると、モニタ２４の分割領域５２の標本全体画像（図７参照）には番号「１」〜「３」が表示され、マーカーメニュー（図６（Ｂ）参照）には番号「１」〜「３」が番号ボタン７３として表示される。
次に、図１３の番号処理（Ｓ３１〜Ｓ３５）について説明する。
ここでは、ステージ部１１上の標本１０Ａを観察している最中に、または、標本１０Ａの観察が一段落したときに、マーカーメニュー（図６（Ｂ））の番号ボタン７３（例えば「１」〜「３」の何れか１つ）が押されたことを想定して説明を行う。このとき、ロード処理（図９）による標本１０Ａの取り出しは未だ行われず、標本１０Ａがステージ部１１上に載置されたままの状態であるとする。また、コントローラ４０の内部では、ステージ部１１上の標本１０Ａに対応する状態ファイル（名前：ＡＢＣ．ｔｘｔ）が一時的に記憶されて参照可能となっている。
このような状況で番号ボタン７３（例えば「１」〜「３」の何れか１つ）が押されると、コントローラ４０は、状態ファイル（名前：ＡＢＣ．ｔｘｔ）を参照し、押された番号ボタン７３と一致する登録番号があるか否かを判定する（ステップＳ３１）。そして「ある」場合には（Ｓ３１がＹｅｓ）、ステージ部１１上にプレパラート（標本１０Ａ）があるか否かを判定する（ステップＳ３２）。ここでは、標本１０Ａがある場合（Ｓ３２がＹｅｓ）の処理を説明する。標本１０Ａがない場合（Ｓ３２がＮｏ）の処理については後述する。
標本１０Ａがステージ部１１上にある場合、コントローラ４０は、状態ファイル（名前：ＡＢＣ．ｔｘｔ）を参照し、押された番号ボタン７３と一致する登録番号に登録された各部の設定状態（一組のｘｙ位置，倍率，絞り量，焦点位置，照明輝度）を読み出す（ステップＳ３３）。例えば、登録番号「２」の番号ボタン７３が押された場合には、図７に示す状態ファイル（名前：ＡＢＣ．ｔｘｔ）の中から、倍率＝１０，絞り量＝７５，ｘ座標＝１０００，ｙ座標＝２０００，焦点位置＝３０００，照明輝度＝１８０という一組の設定状態を読み出す。
そして次に、コントローラ４０は、状態ファイル（名前：ＡＢＣ．ｔｘｔ）から読み出した一組の設定状態に基づいて各々の回路（４１〜４７）を制御し、顕微鏡システム１０の各部を実際に電動で駆動させる。すなわち、顕微鏡システム１０の各部の設定状態を再現する（ステップＳ３４）。
具体的には、状態ファイル（名前：ＡＢＣ．ｔｘｔ）から読み出した“ｘ座標，ｙ座標”に基づいてステージ制御回路４３を制御し、例えば登録番号「２」への登録が行われたときのステージ部１１による標本１０Ａの観察位置を再現する。
また同時に、状態ファイル（名前：ＡＢＣ．ｔｘｔ）から読み出した“倍率”に基づいて対物レンズ駆動回路４５と縮小レンズ駆動回路４６とＣＣＤ制御回路４７を制御し、“絞り量”に基づいて絞り制御回路４２を制御し、“焦点位置”に基づいてフォーカス制御回路４４を制御し、“照明輝度”に基づいて照明制御回路４１を制御し、例えば登録番号「２」への登録が行われたときの観察条件を再現する。
その結果、モニタ２４の分割領域５１には、例えば登録番号「２」への登録が行われたときの顕微鏡画像が再び表示される（再現）。このため、観察者は、煩雑な調整作業を繰り返さなくても、標本１０Ａの登録番号「２」の位置を同じ条件で再び観察することができる。
このようにして図１３の番号処理（標本１０Ａの取り出し前）が終了すると、コントローラ４０は、図８のボタン入力検出処理に戻る。そして番号ボタン７３が押されるたびに、コントローラ４０は、ステップＳ３１→Ｓ３２→Ｓ３３→Ｓ３４の処理を繰り返す。
したがって、本実施形態の顕微鏡システム１０によれば、煩雑な調整作業を繰り返さなくても、各部の設定状態（ステージ部１１による標本１０Ａの観察位置および対物レンズ部１７の倍率などの観察条件）を容易に再現でき、標本１０Ａの所定の位置（登録済みの箇所）を以前と同じ条件で再び観察することが可能となる。
次に、ステージ部１１上の標本１０Ａの観察が終了し、ロード処理（図９）による標本１０Ａの取り出しが行われた後で、別の標本１０Ａ（区別するために以下の説明では“１０Ｆ”の符号を付与する）がロード処理によって取り込まれた場合を説明する。
標本１０Ｆに対する登録処理（図１０）は既に終了しているとする。外部メモリ２７の中では、図１１に示すように、標本１０Ｆの全体画像のファイル（名前：ＳＳＳ．ｂｍｐ）と状態ファイル（名前：ＳＳＳ．ｔｘｔ）とが関連づけられ、さらに、状態ファイル（名前：ＳＳＳ．ｔｘｔ）と顕微鏡画像のファイル（名前：ＫＬＭ００＊．ｂｍｐ）とが関連づけられ、一群として保存されている。
また、図１１の例では、別の標本の全体画像のファイル（名前：ＸＹＺ．ｂｍｐ）と状態ファイル（名前：ＸＹＺ．ｔｘｔ）とが関連づけられ、さらに、状態ファイル（名前：ＸＹＺ．ｔｘｔ）と顕微鏡画像のファイル（名前：ＧＨＩ００＊．ｂｍｐ）とが関連づけられ、一群として保存されている。
つまり、外部メモリ２７の中では、標本（１０Ａ，１０Ｆ，…）ごとに状態ファイル（名前：ＡＢＣ．ｔｘｔ，ＸＹＺ．ｔｘｔ，ＳＳＳ．ｔｘｔ，…）が作成され、状態ファイルの各々に標本全体画像（ファイル名：ＡＢＣ．ｂｍｐ，ＸＹＺ．ｂｍｐ，ＳＳＳ．ｂｍｐ，…）および顕微鏡画像（ファイル名：ＤＥＦ００＊．ｂｍｐ，ＧＨＩ００＊．ｂｍｐ，ＫＬＭ００＊．ｂｍｐ，…）が関連づけられている。
このときマーカーメニュー（図６）の再現ボタン７４が押されると、コントローラ４０は、図１４の再現メニュー読込処理（Ｓ４１〜Ｓ４７）を実行した後、上記と同様の番号処理（図１３のステップＳ３１→Ｓ３２→Ｓ３３→Ｓ３４）を番号ボタン７３が押されるたびに繰り返す。そのため、別の標本１０Ｆの所定の位置（登録済みの箇所）を以前と同じ条件で再び観察することができる。
ここで、図１４の再現メニュー読込処理（Ｓ４１〜Ｓ４７）について説明する。  再現ボタン７４が押されると、コントローラ４０は、ステージ部１１上にプレパラート（標本１０Ｆ）があるか否かを判定する（ステップＳ４１）。そして「ある」場合にのみ（Ｓ４１がＹｅｓ）、ステップＳ４２以降の処理を実行する。
ちなみに、既に行われた標本１０Ｆのロード処理（図９）の結果、モニタ２４の画面２４Ａの分割領域５２（図４）には標本１０Ｆの全体画像が表示され（図３の矢印▲２▼）、この標本１０Ｆの全体画像はコントローラ４０のフレームメモリＣにも格納される（矢印▲３▼）。現時点では、分割領域５２の標本全体画像にもマーカーメニュー（図６）にも登録番号「１」〜「１２」は非表示である。
そしてステップＳ４２において、コントローラ４０は、フレームメモリＣ内の標本１０Ｆの全体画像を２値化してフレームメモリＤに記憶させる（図３の矢印▲６▼）。
次に、コントローラ４０は、ステップＳ４３において、外部メモリ２７に保存されている標本全体画像のファイル（図１１ではファイル名：ＡＢＣ．ｂｍｐ，ＸＹＺ．ｂｍｐ，ＳＳＳ．ｂｍｐ）のうち何れか１つをフレームメモリＡに読み込み（図３の矢印▲７▼）、これを２値化してフレームメモリＢに記憶させる（矢印▲８▼）。
そして次のステップＳ４４では、フレームメモリＤ内の２値画像（標本１０Ｆの全体画像）と、フレームメモリＢ内の２値画像（外部メモリ２７から読み込んだ標本全体画像（例えばファイル名：ＡＢＣ．ｂｍｐ））を比較する。つまり、画像マッチング処理を行う。
この画像マッチング処理の結果、フレームメモリＤ，Ｂ内の２値画像が一致していない場合（ステップＳ４５がＮｏ）、コントローラ４０は、ステップＳ４３の処理に戻り、外部メモリ２７に保存されている別の標本全体画像のファイル（例えばファイル名：ＸＹＺ．ｂｍｐ）を読み込み、同様の２値化処理と画像マッチング処理を行う。
ステップＳ４３，Ｓ４４の処理は、フレームメモリＤ，Ｂ内の２値画像が一致する（Ｓ４５がＹｅｓとなる）まで繰り返される。これは、外部メモリ２７に保存されている標本全体画像のファイル（図１１ではファイル名：ＡＢＣ．ｂｍｐ，ＸＹＺ．ｂｍｐ，ＳＳＳ．ｂｍｐ）のうち、ステージ部１１上の標本１０Ｆの全体画像と一致するものを探索する処理に相当する。
探索処理（Ｓ４３，Ｓ４４）の結果、ステージ部１１上の標本１０Ｆの全体画像と一致するもの（例えばファイル名：ＳＳＳ．ｂｍｐ）が見つかった場合、コントローラ４０は、この標本全体画像（ファイル名：ＳＳＳ．ｂｍｐ）に基づいて、次のステップＳ４６，Ｓ４７の処理を実行する。
ステップＳ４６では、外部メモリ２７内で標本全体画像（ファイル名：ＳＳＳ．ｂｍｐ）に関連づけられている状態ファイル（名前：ＳＳＳ．ｔｘｔ）を特定し、この状態ファイル（名前：ＳＳＳ．ｔｘｔ）を読み込む。つまり、コントローラ４０の内部に一時的に記憶させて参照可能とする。
次のステップＳ４７では、読み込んだ状態ファイル（名前：ＳＳＳ．ｔｘｔ）の中に含まれている登録番号「１」〜「１２」をモニタ２４の分割領域５２の標本全体画像に表示し（図７参照）、これらの登録番号「１」〜「１２」を分割領域５４のマーカーメニュー（図６（Ａ）参照）に番号ボタン７３としても表示する。つまり、標本１０Ｆに関わる再現メニューを表示する。
このようにして図１４の再現メニュー読込処理が終了すると、コントローラ４０は、図８のボタン入力検出処理に戻る。
そして、マーカーメニュー（図６（Ａ）参照）の番号ボタン７３（「１」〜「１２」の何れか１つ）が押されると、コントローラ４０は、読み込んだ状態ファイル（名前：ＳＳＳ．ｔｘｔ）を参照し、既に説明した番号処理（図１３のステップＳ３１→Ｓ３２→Ｓ３３→Ｓ３４）を実行する。
したがって、本実施形態の顕微鏡システム１０によれば、登録処理（図１０）が既に終了している標本１０Ｆを再び内部に取り込んだ場合でも、煩雑な調整作業を繰り返すことなく、各部の設定状態（ステージ部１１による標本１０Ｆの観察位置および対物レンズ部１７の倍率などの観察条件）を容易に再現でき、標本１０Ｆの所定の位置（登録済みの箇所）を以前と同じ条件で再び観察することが可能となる。
さらに、本実施形態の顕微鏡システム１０によれば、図１４の再現メニュー読込処理において、画像マッチング処理を用いた探索処理（Ｓ４３，Ｓ４４）を行い、その結果に基づいて自動的に状態ファイル（例えば名前：ＳＳＳ．ｔｘｔ）を特定し、再現メニューを読み込むため、登録処理（図１０）が既に終了している標本１０Ｆを以前と同じ条件で簡単に再観察することができる。
また、本実施形態の顕微鏡システム１０では、筐体２６の内部にステージ部１１，照明部（１２〜１６），結像部（１７〜２１），ＣＣＤカメラ２２，制御部２３を収容し、箱形の構成としたため、標本１０Ａ，１０Ｆ，…の出し入れに拘わらず、常に同じ環境下で標本全体画像を取り込むことができる。このため、画像マッチング処理を用いた状態ファイル（例えば名前：ＳＳＳ．ｔｘｔ）の特定を精度良く行える。
さらに、本実施形態の顕微鏡システム１０では、画像マッチング処理の際に２値画像どうしを比較したため、簡単に状態ファイル（例えば名前：ＳＳＳ．ｔｘｔ）を特定することができる。
また、本実施形態の顕微鏡システム１０では、外部メモリ２７に保存されている顕微鏡画像の再生も簡単に行える。最後に、顕微鏡画像の再生について説明する。再生時、顕微鏡システム１０の内部に標本は挿入されない。この状態でマーカーメニュー（図６）の再生ボタン７５が押されると、コントローラ４０は、図１５の再生メニュー読込処理（Ｓ５１〜Ｓ５４）を実行する。
まずステップＳ５１では、図５の操作メニューの入力ボックス６９から所望のファイル名が入力されるまで待機する。この場合の入力は、通常のキーボードや、モニタ２４の画面２４Ａ上にソフトウエアで作成したキーボードを用いて行うことになる。
そしてファイル名が入力されると、次のステップＳ５２において、外部メモリ２７に保存されている標本全体画像のファイル（図１１では名前：ＡＢＣ．ｂｍｐ，ＸＹＺ．ｂｍｐ，ＳＳＳ．ｂｍｐ）のうち、入力されたファイル名に対応するもの（例えばＳＳＳ．ｂｍｐ）をフレームメモリＡに読み込み（図３の矢印▲７▼）、これをモニタ２４の分割領域５２に表示する（矢印▲２▼）。
ステップＳ５３では、外部メモリ２７内で標本全体画像（ファイル名：ＳＳＳ．ｂｍｐ）に関連づけられている状態ファイル（名前：ＳＳＳ．ｔｘｔ）を特定し、この状態ファイル（名前：ＳＳＳ．ｔｘｔ）を読み込む。つまり、コントローラ４０の内部に一時的に記憶させて参照可能とする。
次のステップＳ５４では、読み込んだ状態ファイル（名前：ＳＳＳ．ｔｘｔ）の中に含まれている登録番号「１」〜「１２」をモニタ２４の分割領域５２の標本全体画像に表示し（図７参照）、これらの登録番号「１」〜「１２」を分割領域５４のマーカーメニュー（図６（Ａ）参照）に番号ボタン７３としても表示する。つまり、標本１０Ｆに関わる再生メニューを表示する。
このようにして図１５の再生メニュー読込処理が終了すると、コントローラ４０は、図８のボタン入力検出処理に戻る。
そして、マーカーメニュー（図６（Ａ）参照）の番号ボタン７３（「１」〜「１２」の何れか１つ）が押されると、コントローラ４０は、読み込んだ状態ファイル（名前：ＳＳＳ．ｔｘｔ）を参照し、番号処理（図１３）を実行する。既に説明したステップＳ３１を経てステップＳ３２に進み、プレパラート（標本）がないため（Ｓ３２がＮｏ）、ステップＳ３５の処理を実行する。
ステップＳ３５では、コントローラ４０は、状態ファイル（名前：ＳＳＳ．ｔｘｔ）を参照し、押された番号ボタン７３と一致する登録番号に登録されたファイル名（ＫＬＭ００＊．ｂｍｐ）を特定する。そして、このファイル名（ＫＬＭ００＊．ｂｍｐ）の顕微鏡画像を外部メモリ２７からフレームメモリＡに読み込み（図３の矢印▲７▼）、これをモニタ２４の分割領域５１に表示する（矢印▲２▼）。つまり、所望の顕微鏡画像が簡単に再生される。
本実施形態の顕微鏡システム１０は、生徒と先生の間や医師と検査技師の間で行われる医療教育に好適である。生徒（検査技師）は、外部メモリ２７の中に、標本１０Ａの診断結果（標本全体画像と状態ファイルと顕微鏡画像）を保存する。そして診断終了後、先生（医師）に標本１０Ａと外部メモリ２７を提出する。先生（医師）が、生徒（検査技師）から受け取った標本１０Ａと外部メモリ２７を顕微鏡システム１０にセットし、再現ボタン７４を押した後、番号ボタン７３を押すことにより、生徒（検査技師）の診断結果を容易に再現できる。また、登録済みの箇所を再現した後、ステージ部１１の位置や観察条件を少し変化させることにより、生徒（検査技師）の診断結果が適切か否かを後から検証することができる。なお、本実施形態の顕微鏡システム１０は、組織標本に適用することが好ましい。
（変形例）
なお、上記した実施形態では、標本全体画像をＩＤとして画像マッチング処理により外部メモリ２７内の所望の状態ファイル（名前：ＡＢＣ．ｔｘｔ，ＸＹＺ．ｔｘｔ，ＳＳＳ．ｔｘｔ，…のうち１つ）を特定したが、図５の操作メニューの入力ボックス６９から所望の状態ファイルの名前を直接入力してもよい。この場合の入力は、通常のキーボードや、モニタ２４の画面２４Ａ上にソフトウエアで作成したキーボードを用いて行うことになる。
また、上記した実施形態では、標本全体画像と状態ファイルと顕微鏡画像を保存するために外部メモリ２７を使用したが、これに代えて顕微鏡システム１０内のメモリを使用してもよい。ただし、外部メモリ２７を使用した場合には、保存されている標本全体画像や顕微鏡画像をパソコンなどに表示させることができるという利点がある。
さらに、上記した実施形態では、標本全体画像や顕微鏡画像をパソコンなどで利用することを前提にファイル名を付与したが、この利用を想定しない場合にはファイル名の付与を省略できる。そして、顕微鏡システム１０内のメモリの決められたアドレス上に標本全体画像や顕微鏡画像を記憶させればよい。
また、上記した実施形態では、顕微鏡画像の再生時に観察者がファイル名を入力することを想定して、登録時に標本全体画像のファイル名を入力ボックス６９から入力させたが、標本全体画像のファイル名をコントローラ４０が自動的に決定してもよい。この場合、再生時にも、再現時と同様の画像マッチング処理を行い、所望の状態ファイルを特定することができる。
さらに、上記した実施形態では、各部の設定状態の再現モードと顕微鏡画像の再生モードを有する構成例について説明したが、再生モードを省略した顕微鏡システムにも本発明は適用できる。この場合、各部の設定状態の再現モードのみが実行可能となる。したがって、登録処理（図１０）の際に顕微鏡画像を保存する処理を省略できる。
また、上記した実施形態では、ＣＣＤカメラ内蔵の箱形の顕微鏡システム１０を例に説明したが、一般の顕微鏡システムにも本発明を適用できる。この場合、画像マッチング処理に先だって行う画像処理では、２値化の他に、エッジ検出（微分処理）や回転補正や位置補正などの処理を追加することが好ましい。一般の顕微鏡としては、対物レンズが交換可能な構成や、ＣＣＤカメラが着脱可能な構成などが考えられる。
さらに、上記した実施形態では、固定された結像部（１７〜２１）およびＣＣＤカメラ２２に対してステージ部１１を移動させる例を説明したが、本発明はこれに限定されない。固定されたステージ部１１に対して結像部（１７〜２１）およびＣＣＤカメラ２２を移動させても構わないし、ステージ部１１と結像部（１７〜２１），ＣＣＤカメラ２２の双方を相対的に移動させても構わない。
また、上記した実施形態では、透過照明で標本１０Ａを観察する顕微鏡システム１０の例を説明したが、反射照明（落射照明）の顕微鏡システムにも本発明を適用できる。
さらに、上記した実施形態では、接眼レンズのない顕微鏡システム１０を例に説明したが、通常の顕微鏡と同様に、接眼レンズを用いた標本の観察も可能な顕微鏡システムにも本発明は適用できる。
また、上記した実施形態では、プレパラート押さえ１１Ａとセンサ３９とによりステージ部１１上でのプレパラートの有無を検出したが、本発明はこれに限定されない。プレパラートの有無に拘わらず標本全体画像の取得動作を行い、実際に標本全体画像を取得できたか否かによって、ステージ部１１上でのプレパラートの有無を検出してもよい。
【発明の効果】
以上説明したように、本発明によれば、煩雑な調整作業を繰り返さなくても顕微鏡システムの各部の設定状態を容易に再現することができる。
【図面の簡単な説明】
【図１】本実施形態の顕微鏡システムの全体構成図である。
【図２】顕微鏡システム１０への標本１０Ａの挿入状態を示す概略図である。
【図３】コントローラ４０内のフレームメモリＡ〜Ｄを説明するブロック図である。
【図４】モニタ２４の画面２４Ａを説明する図である。
【図５】分割領域５３の操作メニューを説明する図である。
【図６】分割領域５４のマーカーメニューを説明する図である。
【図７】分割領域５２の標本全体画像に登録番号を表示した状態を説明する図である。
【図８】顕微鏡システム１０におけるボタン入力検出処理の手順を示すフローチャートである。
【図９】顕微鏡システム１０におけるロード処理の手順を示すフローチャートである。
【図１０】顕微鏡システム１０における登録処理の手順を示すフローチャートである。
【図１１】外部メモリ２７に保存された標本全体画像と状態ファイルと顕微鏡画像の関連づけを説明する図である。
【図１２】状態ファイルの一例を説明する図である。
【図１３】顕微鏡システム１０における番号処理の手順を示すフローチャートである。
【図１４】顕微鏡システム１０における再現メニュー読込処理の手順を示すフローチャートである。
【図１５】顕微鏡システム１０における再生メニュー読込処理の手順を示すフローチャートである。
【符号の説明】
１０  顕微鏡システム
１０Ａ  標本
１１  ステージ部
１２，１６  照明光源
１３  拡散板
１４  コンデンサレンズ
１５  絞り
１７  対物レンズ部
２０  縮小レンズ部
２２  ＣＣＤカメラ
２３  制御部
２４  表示装置
２５  入力装置
２６  筐体
２７  外部メモリ
３１，３２  対物レンズ
３３，３７  通過穴
３４，３８  センサ
３５，３６  縮小レンズ
【図１】
2004309768.tif 000003
【図２】
2004309768.tif 000004
【図３】
2004309768.tif 000005
【図４】
2004309768.tif 000006
【図５】
2004309768.tif 000007
【図６】
2004309768.tif 000008
【図７】
2004309768.tif 000009
【図８】
2004309768.tif 000010
【図９】
2004309768.tif 000011
【図１０】
2004309768.tif 000012
【図１１】
2004309768.tif 000013
【図１２】
2004309768.tif 000014
【図１３】
2004309768.tif 000015
【図１４】
2004309768.tif 000016
【図１５】
2004309768.tif 000017
【手続補正書】
【提出日】平成15年4月9日(2003.4.9)
【手続補正１】
【補正対象書類名】明細書
【補正対象項目名】全文
【補正方法】変更
【補正の内容】
【特許請求の範囲】
【請求項１】標本を載置するステージと、
前記標本の一部領域の像を観察する観察手段と、
前記ステージおよび／または前記観察手段を調整することで、前記標本の観察位置および／または観察条件を調整する調整手段と、
外部からの第１の指示にしたがい、該指示が入力されたときの前記観察位置および前記観察条件を関連づけて登録する登録手段と、
外部からの第２の指示にしたがい、前記登録手段によって関連づけて登録された前記観察位置および前記観察条件を読み出し、該観察位置および該観察条件に基づいて前記標本の観察像を再現するために前記調整手段を制御する制御手段とを備えたことを特徴とする顕微鏡システム。
【請求項２】請求項１に記載の顕微鏡システムにおいて、
前記登録手段は、前記第１の指示が入力されたときの前記観察位置および前記観察条件を前記標本ごとに登録し、前記標本ごとのファイルを作成し、
前記制御手段は、前記登録手段に登録済みの前記標本が前記ステージに再載置されると、前記標本の前記ファイルを特定する特定手段を有し、該特定手段によって特定された前記ファイルから前記観察位置および前記観察条件を読み出して前記調整手段を制御することを特徴とする顕微鏡システム。
【請求項３】請求項２に記載の顕微鏡システムにおいて、
前記標本のマクロ画像を取り込む画像取込手段をさらに備え、
前記登録手段は、前記ファイルに関連づけて前記標本ごとに前記マクロ画像の登録も行い、
前記特定手段は、前記ステージに載置されている前記標本に対して前記画像取込手段が取り込んだ前記マクロ画像と、前記登録手段によって登録された前記マクロ画像とを比較し、前記載置されている標本の前記ファイルを特定することを特徴とする顕微鏡システム。
【請求項４】請求項２に記載の顕微鏡システムにおいて、
前記ファイルの名前を入力する入力手段をさらに備え、
前記特定手段は、前記入力手段によって入力された前記名前に基づいて、前記ステージに載置されている前記標本の前記ファイルを特定することを特徴とする顕微鏡システム。
【請求項５】請求項１から請求項４の何れか１項に記載の顕微鏡システムにおいて、
前記ステージと前記観察手段と前記調整手段とが内部に収容される筐体をさらに備えたことを特徴とする顕微鏡システム。
【発明の詳細な説明】
【０００１】
【発明の属する技術分野】
本発明は、標本の観察に用いられる顕微鏡システムに関する。
【０００２】
【従来の技術】
従来より、標本を載置するステージの移動や対物レンズの倍率の切り替えなどを電動で制御可能な顕微鏡システムが知られている。また、標本の一部領域の画像（例えば拡大画像）を取り込み、これをモニタに表示すると共にメモリに保存するように構成された顕微鏡システムも知られている（例えば特許文献１参照）。メモリに保存された画像は、後から読み出して再生可能である。再生可能とは、モニタに表示可能の意味である。
【０００３】
【特許文献１】
特開平５−２４１０７５号公報
【０００４】
【発明が解決しようとする課題】
しかしながら、上記した従来の顕微鏡システムでは、標本の一部領域の画像を取り込む際の各部の設定状態（ステージ位置や対物レンズ倍率など）を再現することが非常に難しかった。このため、標本の所定の位置を同じ条件で再び観察する場合、以前と同様の煩雑な調整作業を再び実行することにより、各部の設定状態（ステージ位置や対物レンズ倍率など）を再現しなければならなかった。
【０００５】
本発明の目的は、煩雑な調整作業を繰り返さなくても各部の設定状態を容易に再現できる顕微鏡システムを提供することにある。
【０００６】
【課題を解決するための手段】
請求項１に記載の顕微鏡システムは、標本を載置するステージと、前記標本の一部領域の像を観察する観察手段と、前記ステージおよび／または前記観察手段を調整することで、前記標本の観察位置および／または観察条件を調整する調整手段と、外部からの第１の指示にしたがい、該指示が入力されたときの前記観察位置および前記観察条件を関連づけて登録する登録手段と、外部からの第２の指示にしたがい、前記登録手段によって関連づけて登録された前記観察位置および前記観察条件を読み出し、該観察位置および該観察条件に基づいて前記標本の観察像を再現するために前記調整手段を制御する制御手段とを備えたものである。
【０００７】
請求項２に記載の発明は、請求項１に記載の顕微鏡システムにおいて、前記登録手段は、前記第１の指示が入力されたときの前記観察位置および前記観察条件を前記標本ごとに登録し、前記標本ごとのファイルを作成し、前記制御手段は、前記登録手段に登録済みの前記標本が前記ステージに再載置されると、前記標本の前記ファイルを特定する特定手段を有し、該特定手段によって特定された前記ファイルから前記観察位置および前記観察条件を読み出して前記調整手段を制御するものである。
【０００８】
請求項３に記載の発明は、請求項２に記載の顕微鏡システムにおいて、前記標本のマクロ画像を取り込む画像取込手段をさらに備え、前記登録手段は、前記ファイルに関連づけて前記標本ごとに前記マクロ画像の登録も行い、前記特定手段は、前記ステージに載置されている前記標本に対して前記画像取込手段が取り込んだ前記マクロ画像と、前記登録手段によって登録された前記マクロ画像とを比較し、前記載置されている標本の前記ファイルを特定するものである。
【０００９】
請求項４に記載の発明は、請求項２に記載の顕微鏡システムにおいて、前記ファイルの名前を入力する入力手段をさらに備え、前記特定手段は、前記入力手段によって入力された前記名前に基づいて、前記ステージに載置されている前記標本の前記ファイルを特定するものである。
請求項５に記載の発明は、請求項１から請求項４の何れか１項に記載の顕微鏡システムにおいて、前記ステージと前記観察手段と前記調整手段とが内部に収容される筐体をさらに備えたものである。
【００１０】
【発明の実施の形態】
以下、図面を用いて本発明の実施形態を詳細に説明する。
本発明の本実施形態は、請求項１，請求項２，請求項３，請求項５に対応する。本実施形態の顕微鏡システム１０は、図１に示すように、観察対象となる標本１０Ａを載置するステージ部１１と、標本１０Ａを照明する照明部（１２〜１６）と、標本１０Ａの拡大像を形成する結像部（１７〜２１）と、標本１０Ａの拡大像を撮像するＣＣＤカメラ２２と、制御部２３と、モニタ２４と、入力装置２５とで構成されている。
【００１１】
このうち、ステージ部１１，照明部（１２〜１６），結像部（１７〜２１），ＣＣＤカメラ２２，制御部２３は、顕微鏡システム１０の筐体２６の内部に収容され（図２（Ａ）参照）、モニタ２４，入力装置２５は、筐体２６の外部に配置されている。顕微鏡システム１０は、ＣＣＤカメラ内蔵の箱形の顕微鏡システムである。
顕微鏡システム１０には外部メモリ２７が装着可能である。外部メモリ２７はＣＦメモリなどの外部記憶装置である。
【００１２】
また、顕微鏡システム１０の筐体２６の内部において、照明部（１２〜１６）はステージ部１１の下方に配置され、結像部（１７〜２１），ＣＣＤカメラ２２はステージ部１１の上方に配置されている。顕微鏡システム１０は、標本１０Ａを透過照明で観察する装置である。
【００１３】
次に、本実施形態の顕微鏡システム１０の各構成要素（１２〜２５）について個別に説明する。
ステージ部１１は、ｘ方向，ｙ方向に移動可能な電動ステージと、電動ステージのｘ位置，ｙ位置を検出するカウンタとで構成される（何れも不図示）。ステージ部１１は、筐体２６の開口２６Ａから外部への移動（図２（Ａ）参照）も可能である。ステージ部１１が筐体２６の内外間で移動する際の経路は、顕微鏡システム１０の２つの観察光路１０Ｂ，１０Ｃを横切っている。
【００１４】
ステージ部１１にプレパラート（標本１０Ａ）が載置されているか否かを検出するため、筐体２６の内部には、図１，図２（Ｂ），（Ｃ）に示すように、ステージ部１１にプレパラート押さえ１１Ａが設けられ、開口２６Ａの下部にセンサ３９が設けられる。プレパラート押さえ１１Ａは、軸１１Ｂを中心に回転可能であり、プレパラートがステージ部１１に載置されていないとき（図２（Ｂ）の状態）、一端がセンサ３９の中に位置する。そして、プレパラートがステージ部１１に載置された状態で筐体２６の外部から内部に入るとき（図２（Ｃ）の状態）、他端がプレパラートによって押され、一端がセンサ３９の外に出る。このためセンサ３９は、プレパラート押さえ１１Ａの一端の有無に応じて、ステージ部１１上でのプレパラートの有無を検出する。
【００１５】
ステージ部１１は、制御部２３のステージ制御回路４３を介してコントローラ４０に接続される。ステージ制御回路４３は、コントローラ４０からの制御信号に基づいて、ステージ部１１の電動ステージをｘ方向，ｙ方向に移動させ、ステージ部１１による標本１０Ａの観察位置を調整する。また、ステージ部１１のカウンタの値を読み取り、電動ステージのｘ位置，ｙ位置に関わる信号をコントローラ４０に出力する。
【００１６】
照明部（１２〜１６）は、一方の観察光路１０Ｂ上に配置された照明光源１２，拡散板１３，コンデンサレンズ１４，開口絞り１５と、他方の観察光路１０Ｃ上に配置された照明光源１６とで構成されている。
一方の照明光源１２から射出された光は、拡散板１３によって均一化され、コンデンサレンズ１４によって集光され、開口絞り１５を介して観察光路１０Ｂ上の標本１０Ａの一部領域に入射する。そして、この一部領域を透過した光は、結像部（１７〜２１）に導かれる。
【００１７】
他方の照明光源１６から射出された光は、観察光路１０Ｃ上の標本１０Ａに入射する。このとき標本１０Ａは、半分の領域が面状に照明される。そして、この半分の領域を透過した光も、結像部（１７〜２１）に導かれる。照明光源１６は、標本１０Ａを含む広い範囲（プレパラート全体）の観察時に使用される。
照明光源１２，１６は、制御部２３の照明制御回路４１を介してコントローラ４０に接続される。照明制御回路４１は、コントローラ４０からの制御信号に基づいて、照明光源１２，１６を点灯／消灯すると共に、照明光源１２の照明輝度を調整する。また、照明光源１２の照明輝度に関わる信号をコントローラ４０に出力する。
【００１８】
絞り１５は、制御部２３の絞り制御回路４２を介してコントローラ４０に接続される。絞り制御回路４２は、コントローラ４０からの制御信号に基づいて、絞り１５を調整し、後述する対物レンズ３１，３２の開口数に応じた絞り量に設定する。また、絞り１５の絞り量に関する信号をコントローラ４０に出力する。
結像部（１７〜２１）は、対物レンズ部１７と、ミラー１８，１９と、縮小レンズ部２０と、ミラー２１とで構成されている。ここで、ミラー１８は観察光路１０Ｂ上に配置され、ミラー１９は観察光路１０Ｃ上に配置されている。ミラー１８，１９による反射後の観察光路１０Ｄは共通である。ミラー２１は、観察光路１０Ｄ上に配置され、ミラー１８，１９により裏返しになった像を表像に戻すための光学素子である。
【００１９】
さて、対物レンズ部１７と縮小レンズ部２０について説明する。
対物レンズ部１７は、４０倍の対物レンズ３１と、１０倍の対物レンズ３２と、通過穴３３と、センサ３４とで構成されている。そして、対物レンズ３１，３２のうち何れか１つを観察光路１０Ｂに挿入可能である。観察光路１０Ｂに挿入されている対物レンズの種類（３１または３２）は、センサ３４によって検知される。通過穴３３は、観察光路１０Ｃ上に配置されている。
【００２０】
対物レンズ部１７は、制御部２３のフォーカス制御回路４４および対物レンズ駆動回路４５を介してコントローラ４０に接続されている。フォーカス制御回路４４は、コントローラ４０からの制御信号に基づいて、対物レンズ部１７を全体的に上下動させ、焦点合わせを行う。また、対物レンズ（３１または３２）の焦点位置に関わる信号をコントローラ４０に出力する。
【００２１】
対物レンズ駆動回路４５は、コントローラ４０からの制御信号に基づいて、対物レンズ部１７の対物レンズ３１または対物レンズ３２を観察光路１０Ｂ上に位置決めする。観察光路１０Ｂに挿入された対物レンズの種類（３１または３２）を表す信号（センサ３４の検知信号）は、センサ３４からコントローラ４０に出力される。
【００２２】
縮小レンズ部２０は、１／２倍の縮小レンズ３５と、１倍の縮小レンズ３６と、通過穴３７と、センサ３８とで構成される。そして、縮小レンズ３５，３６，通過穴３７のうち何れか１つを観察光路１０Ｄに挿入可能である。センサ３８は、観察光路１０Ｄに挿入されている縮小レンズの種類（３５または３６）を検知するためのものである。
【００２３】
縮小レンズ部２０は、制御部２３の縮小レンズ駆動回路４６を介してコントローラ４０に接続されている。縮小レンズ駆動回路４６は、コントローラ４０からの制御信号に基づいて、縮小レンズ部２０の縮小レンズ３５または縮小レンズ３６または通過穴３７を観察光路１０Ｄ上に位置決めする。観察光路１０Ｄに挿入された縮小レンズの種類（３４または３５）を表す信号（センサ３８の検知信号）は、センサ３８からコントローラ４０に出力される。
【００２４】
ここで、観察光路１０Ｄに縮小レンズ（３４または３５）が挿入されるとき、ステージ部１１上の標本１０Ａは、一方の観察光路１０Ｂ上に位置決めされ、照明光源１２からの光によって一部領域が照明される。
このとき、標本１０Ａを透過した光は、対物レンズ（３１または３２）を介して平行光に変換され、ミラー１８で反射した後、縮小レンズ（３４または３５）で集光され、ミラー２１を介して所定面２Ａ（ＣＣＤカメラ２２の撮像面）に結像される。
【００２５】
標本１０Ａの像の拡大倍率は、２つの対物レンズ（３１，３２）のうち観察光路１０Ｂに挿入されている方と、２つの縮小レンズ（３５，３６）のうち観察光路１０Ｄに挿入されている方との組み合わせに応じて、４通り存在する（５倍，１０倍，２０倍，４０倍）。
また、観察光路１０Ｄに縮小レンズ部２０の通過穴３７が挿入されるとき、ステージ部１１上の標本１０Ａは、他方の観察光路１０Ｃ上に位置決めされ、照明光源１６からの光によって半分の領域が照明される。ミラー１８は、観察光路１０Ｄの外に配置される。
【００２６】
このとき、標本１０Ａを透過した光は、対物レンズ部１７の通過穴３３→ミラー１９→縮小レンズ部２０の通過穴３７→ミラー２１という経路を通って、所定面２Ａ（ＣＣＤカメラ２２の撮像面）に到達する。この経路は、標本１０Ａを含む広い範囲（プレパラート全体）の観察時のものである。
ＣＣＤカメラ２２は、ＣＣＤ（電荷結合素子）を用いた２次元撮像素子であり、ｘｙ方向に２次元配列された複数の受光部を有する。ＣＣＤカメラ２２は、所定面２Ａに形成された標本１０Ａの像を撮像して画像信号を出力する。出力先は、制御部２３のＣＣＤ制御回路４７である。
【００２７】
ＣＣＤ制御回路４７は、コントローラ４０からの制御信号に基づいて、ＣＣＤカメラ２２にタイミング信号を出力する。このタイミング信号は、ＣＣＤカメラ２２の各受光部に蓄積された電荷を転送させるためのクロック信号である。ＣＣＤカメラ２２では、ＣＣＤ制御回路４７からのタイミング信号に基づいて電荷を転送し、画像信号（アナログ信号）を出力する。
【００２８】
また、ＣＣＤ制御回路４７は、コントローラ４０からの制御信号に基づいて、ＣＣＤカメラ２２が画像信号を出力する際の電子ズーム倍率（例えば１倍〜２倍の間の任意の倍率）を設定する。したがって、ＣＣＤカメラ２２からＣＣＤ制御回路４７には、電子ズーム倍率（例えば１倍〜２倍）に基づいて電気的に信号処理された後の画像信号が出力される。
【００２９】
そして、ＣＣＤ制御回路４７は、ＣＣＤカメラ２２からの画像信号（アナログ信号）を増幅し、ディジタル信号に変換して、コントローラ４０に出力する。また、電子ズーム倍率（例えば１倍〜２倍）に関わる信号も併せてコントローラ４０に出力する。
コントローラ４０には、制御部２３を構成する各々の回路（４１〜４７）や対物レンズ部１７のセンサ３４，縮小レンズ部２０のセンサ３８が接続されるだけでなく、モニタ２４，入力装置２５，外部メモリ２７も接続される。また、コントローラ４０の内部には、図３に示すように、４つのフレームメモリＡ〜Ｄが設けられている。
【００３０】
コントローラ４０は、ＣＣＤ制御回路４７からのディジタル信号を取り込むと、これをフレームメモリＡに一旦格納し（図３の矢印▲１▼）、その後、モニタ２４に出力する（矢印▲２▼）。その結果、モニタ２４の画面２４Ａ（図１）には、標本１０Ａの画像（静止画像）が表示される。
さらに詳しく説明すると、観察光路１０Ｂ上の対物レンズ（３１または３２）と観察光路１０Ｄ上の縮小レンズ（３５または３６）を経てＣＣＤカメラ２２に到達した光に起因する画像（以下「顕微鏡画像」という）は、モニタ２４の画面２４Ａのうち、図４に示す分割領域５１に表示される。分割領域５１の顕微鏡画像は、標本１０Ａの一部領域の画像である。顕微鏡システム１０では、分割領域５１の顕微鏡画像に基づいて標本１０Ａの一部領域の像を観察することができる。
【００３１】
分割領域５１の顕微鏡画像の倍率（表示倍率）は、ＣＣＤカメラ２２が標本１０Ａの拡大像を撮像するときに観察光路１０Ｂ，１０Ｄに挿入されていた拡大光学系の倍率（５倍，１０倍，２０倍，４０倍）と、ＣＣＤカメラ２２が画像信号を出力するときに設定された電子ズーム倍率（例えば１倍〜２倍）との積で決まる。
標本１０Ａの一部領域の像を観察する際の条件（観察条件）は、制御部２３を構成する各々の回路（４１，４２，４４〜４７）によって調整可能である。これらの回路（４１，４２，４４〜４７）とステージ制御回路４３は総じて請求項の「調整手段」に対応する。なお、観察光路１０Ｂ上の光学素子（１２〜１５，３１，３２，１８）と観察光路１０Ｄ上の光学素子（３５，３６，２１）とＣＣＤカメラ２２とＣＣＤ制御回路４７とコントローラ４０は総じて請求項の「観察手段」に対応する。
【００３２】
また、観察光路１０Ｃ上の通過穴３３と観察光路１０Ｄ上の通過穴３７を経てＣＣＤカメラ２２に到達した光に起因する画像（以下「標本全体画像」という）は、モニタ２４の画面２４Ａのうち、図４に示す分割領域５２に表示される。分割領域５２の標本全体画像は、標本１０Ａを含む広い範囲（プレパラート全体）の画像であり、請求項の「マクロ画像」に対応する。
【００３３】
観察光路１０Ｃ上の光学素子（１６，１９），通過穴３３と観察光路１０Ｄ上の光学素子（２１），通過穴３７とＣＣＤカメラ２２とＣＣＤ制御回路４７とコントローラ４０は総じて請求項の「画像取込手段」に対応する。
ここで、モニタ２４の画面２４Ａの表示内容（画像以外の内容）について説明する。なお、コントローラ４０が顕微鏡画像と標本全体画像をモニタ２４の画面２４Ａ（分割領域５１，５２）に表示する際に使用したフレームメモリＡ以外のフレームメモリＢ〜Ｄ（図３）については後で説明する。
【００３４】
モニタ２４の画面２４Ａの分割領域５２には、標本全体画像に重ねて十字カーソル５２Ａが表示されている。十字カーソル５２Ａは、観察光路１０Ｂの現在の位置を表している。これは、分割領域５１に表示されている顕微鏡画像の概略位置に相当する。
また、モニタ２４の画面２４Ａには、上記した分割領域５１，５２の他に、操作メニューを表示するための分割領域５３と、マーカーメニューを表示するための分割領域５４とが確保されている。
【００３５】
分割領域５３の操作メニューには、図５に示すように、方向ボタン６１と、拡大倍率ボタン６２と、フォーカス上下ボタン６３と、電子ズームボタン６４と、絞りボタン６５と、輝度ボタン６６と、保存ボタン６７と、ロードボタン６８と、入力ボックス６９とが設けられる。
観察者が操作メニューの各々のボタン（６１〜６８）をマウスなどの入力装置２５によりクリックすると、コントローラ４０には、様々な指示が入力される。そして、コントローラ４０は、外部からの指示にしたがって、制御部２３の各々の回路（４１〜４７）に制御信号を出力し、顕微鏡システム１０の各部を電動で制御する。
【００３６】
方向ボタン６１は、ステージ部１１をｘｙ方向に移動させるためのものである。拡大倍率ボタン６２は、観察光路１０Ｂに挿入する対物レンズ（３１，３２）と観察光路１０Ｄに挿入する縮小レンズ（３５，３６）の組み合わせを切り替えるためのものである。フォーカス上下ボタン６３は、対物レンズ部１７を上下動させてフォーカス調整を行うためのものである。
【００３７】
電子ズームボタン６４は、ＣＣＤカメラ２２が画像信号を出力する際の電子ズーム倍率を指示するためのものである。絞りボタン６５は、絞り１５の絞り量を指示するためのものである。輝度ボタン６６は、照明光源１２の照明輝度を指示するためのものである。
保存ボタン６７は、分割領域５１に表示されている顕微鏡画像のみを外部メモリ２７に保存するためのものである。ロードボタン６８は、標本１０Ａを顕微鏡システム１０の筐体２６から出し入れするためのものである（詳細は後述する）。入力ボックス６９は、後述の登録時や再生時に、対象ファイルの名前を入力するためのものである。
【００３８】
また、分割領域５４のマーカーメニューには、図６（Ａ）に示すように、登録ボタン７１と、クリアボタン７２と、番号ボタン７３と、再現ボタン７４と、再生ボタン７５とが設けられる。
観察者がマーカーメニューの各々のボタン（７１〜７５）をマウスなどの入力装置２５によりクリックすると、コントローラ４０には、様々な指示が入力される。そして、コントローラ４０は、外部からの指示にしたがって、外部メモリ２７との間でファイルやデータの授受を行う（登録手段）。また、制御部２３の各々の回路（４１〜４７）に制御信号を出力し、顕微鏡システム１０の各部を電動で制御する（制御手段）。
【００３９】
登録ボタン７１は、分割領域５１に表示されている顕微鏡画像と、そのときの各部の設定状態（ステージ部のｘｙ位置，対物レンズ部の倍率，縮小レンズ部の倍率，絞り量，焦点位置，照明輝度）を外部メモリ２７に登録するためのものである（詳細は後述する）。クリアボタン７２は、登録ボタン７１による登録をクリアするためのものである。
【００４０】
本実施形態の顕微鏡システム１０では、１つの標本１０Ａについて最大１２箇所の登録を行うことができる。登録済の箇所には、１つの番号（１〜１２の何れか）が割り当てられ、その番号が実際に番号ボタン７３として表示される。
このため、例えば１２箇所で登録済の場合は、図６（Ａ）のように、全ての番号（「１」〜「１２」）が番号ボタン７３として表示される。また、例えば３箇所で登録済の場合は、図６（Ｂ）のように、３つの番号（「１」〜「３」）が番号ボタン７３として表示され、その他の未登録の番号（「４」〜「１２」）は非表示となる。
【００４１】
さらに、登録済の箇所に割り当てられた番号（１〜１２の何れか）は、図７に示すように、分割領域５２の標本全体画像の中にも表示される。図７の表示例は、図６（Ｂ）のように３箇所で登録済の場合に対応する。
再現ボタン７４は、顕微鏡システム１０の各部の設定状態（ステージのｘｙ位置，対物レンズの倍率，縮小レンズの倍率，絞り量，焦点位置，照明輝度）を再現するときに、再現メニューを読み込むためのものである（詳細は後述する）。再現メニューは、外部メモリ２７に保存されている。再生ボタン７５は、外部メモリ２７に保存されている顕微鏡画像を再生するときに、再生メニューを読み込むためのものである（詳細は後述する）。
【００４２】
次に、本実施形態の顕微鏡システム１０の動作について、図８〜図１０，図１３〜図１５のフローチャートを用いて説明する。図１０のフローチャートを説明するときに、図１１，図１２のファイル形式を参照する。
顕微鏡システム１０に電源が投入されると、コントローラ４０は、顕微鏡システム１０の各部を初期化し、図８〜図１０，図１３〜図１５のフローチャートによる制御を開始する。
【００４３】
まず初めに、図８に示すボタン入力検出処理について説明する。
コントローラ４０は、ステップＳ１〜Ｓ５の各々において、操作メニュー（図５）のロードボタン６８，マーカーメニュー（図６）の登録ボタン７１，番号ボタン７３，再現ボタン７４，再生ボタン７５が押されたか否かを監視する。
そして、ロードボタン６８が押されると（Ｓ１がＹｅｓ）、ステップＳ６のロード処理（詳細は図９）を実行する。登録ボタン７１が押されると（Ｓ２がＹｅｓ）、ステップＳ７の登録処理（詳細は図１０）を実行する。番号ボタン７３が押されると（Ｓ３がＹｅｓ）、ステップＳ８の番号処理（詳細は図１３）を実行する。再現ボタン７４が押されると（Ｓ４がＹｅｓ）、ステップＳ９の再現メニュー読込処理（詳細は図１４）を実行する。再生ボタン７５が押されると（Ｓ５がＹｅｓ）、ステップＳ１０の再生メニュー読込処理（詳細は図１５）を実行する。
【００４４】
なお、登録ボタン７１が押されたことによるコントローラ４０への指示は、請求項の「第１の指示」に対応する。また、標本１０Ａがステージ部１１上に載置されたままの状態で番号ボタン７３が押されたことによるコントローラ４０への指示、および、再現ボタン７４が押された後に番号ボタン７３が押されたことによるコントローラ４０への指示は、請求項の「第２の指示」に対応する。
【００４５】
まず、図９のロード処理（Ｓ１１〜Ｓ１５）について説明する。
操作メニュー（図５）のロードボタン６８が押されると、コントローラ４０は、ステージ部１１をｘ方向に移動させて、筐体２６の開口２６Ａから外部へ吐き出す（ステップＳ１１）（図２の状態）。このとき観察者はステージ部１１の上に標本１０Ａを載置することができる。また、既に標本１０Ａが載置されている場合には、ステージ部１１の上から標本１０Ａを取り除くことができる。
【００４６】
その後、ロードボタン６８が再度押されると（ステップＳ１２がＹｅｓ）、コントローラ４０は、ステージ部１１をｘ方向に移動させて、筐体２６の開口２６Ａから内部に取り込む。このとき、ステージ部１１と共に標本１０Ａも内部に取り込まれる。または、標本１０Ａが取り除かれて空になったステージ部１１のみが内部に取り込まれる。
【００４７】
そして、ステージ部１１を筐体２６の内部に取り込む際、ステージ部１１上にプレパラート（標本１０Ａ）がある場合に（ステップＳ１４がＹｅｓ）、コントローラ４０は、ステップＳ１５の処理を実行する。
つまり、照明光源１６を点灯すると共に、ミラー１８を退避させ、縮小レンズ部２０の通過穴３７を観察光路１０Ｄに挿入する。そして、標本１０Ａが観察光路１０Ｃに到達したときに、２回のショットに分けて標本全体画像を取り込む。
標本全体画像は、フレームメモリＡに一旦格納され（図３の矢印▲１▼）、モニタ２４の分割領域５２に表示される（矢印▲２▼）。同時に、フレームメモリＡからフレームメモリＣにも送られる（矢印▲３▼）。
【００４８】
このようにして図９のロード処理が終了すると、コントローラ４０は、図８のボタン入力検出処理に戻る。
ロード処理（図９）の後、ステージ部１１がさらに移動して、観察光路１０Ｂ上に標本１０Ａが到達すると、コントローラ４０は、照明光源１２を点灯し、ミラー１８を観察光路１０Ｄ上に挿入し、標本１０Ａの一部領域の観察状態とする。このとき、コントローラ４０に取り込まれた顕微鏡画像は、フレームメモリＡを介してモニタ２４の分割領域５１に表示される（図３の矢印▲１▼▲２▼）。
【００４９】
コントローラ４０は、モニタ２４の分割領域５３に表示された操作メニューのボタン（６１〜６６）が入力装置２５によりクリックされると、その指示にしたがって顕微鏡システム１０の各部を電動で制御し、モニタ２４の分割領域５１の顕微鏡画像を更新する。
次に、図１０の登録処理（Ｓ２１〜Ｓ２９）について説明する。
【００５０】
マーカーメニュー（図６）の登録ボタン７１が押されると、コントローラ４０は、ステージ部１１上の標本１０Ａについての登録数が既に最大（１２箇所）に達しているか否かを判定する（ステップＳ２１）。そして、まだ登録の余地がある場合のみ（Ｓ２１がＮｏ）、ステップＳ２２以降の処理を行う。
ステップＳ２２では、ステージ部１１上の標本１０Ａについての登録が１回目か否かを判定する。そして、１回目の場合には（Ｓ２２がＹｅｓ）、ステップＳ２３に進み、モニタ２４の分割領域５２の標本全体画像にファイル名（ＡＢＣ．ｂｍｐ）を付け、図３の矢印▲４▼のように、フレームメモリＣから外部メモリ２７に保存する。ファイル名（ＡＢＣ．ｂｍｐ）は、図５の操作メニューの入力ボックス６９から入力される。
【００５１】
次のステップＳ２４では、モニタ２４の分割領域５１の顕微鏡画像にファイル名（ＤＥＦ００１．ｂｍｐ）を付け、図３の矢印▲５▼のように、フレームメモリＡから外部メモリ２７に保存する。ファイル名（ＤＥＦ００１．ｂｍｐ）は、コントローラ４０が英数文字でランダムに任意に決定した名前である。現在の日時をファイル名としても構わない。
【００５２】
次のステップＳ２５では、現在の各部の設定状態（ステージ部のｘｙ位置，対物レンズ部の倍率，縮小レンズ部の倍率，絞り量，焦点位置，照明輝度）を、各々の回路（４１〜４７）やセンサ３４，３８から取得する。
そして、ステージ部１１上の標本１０Ａごとに状態ファイル（名前：ＡＢＣ．ｔｘｔ）を作成し、ステージ部１１のｘｙ位置（つまりステージ部１１による標本１０Ａの観察位置）および現在の観察条件（倍率，絞り量，焦点位置，照明輝度）を関連づけて、登録番号「１」と顕微鏡画像のファイル名（ＤＥＦ００１．ｂｍｐ）と共に登録する。
【００５３】
状態ファイルの名前（ＡＢＣ．ｔｘｔ）は、標本全体画像のファイル名（ＡＢＣ．ｂｍｐ）と関連づけてコントローラ４０が決定する。状態ファイル（名前：ＡＢＣ．ｔｘｔ）は、外部メモリ２７に保存される。
外部メモリ２７の中では、図１１に示すように、ステップＳ２３で保存された標本全体画像のファイル（名前：ＡＢＣ．ｂｍｐ）と、ステップＳ２５で保存された状態ファイル（名前：ＡＢＣ．ｔｘｔ）とが関連づけられ、さらに、状態ファイル（名前：ＡＢＣ．ｔｘｔ）と、ステップＳ２４で保存された顕微鏡画像のファイル（名前：ＤＥＦ００１．ｂｍｐ）とが関連づけられ、一群として保存されている。状態ファイル（名前：ＡＢＣ．ｔｘｔ）の内容は、例えば図１２に示すようになっている。
【００５４】
上記ステップＳ２５の処理が終わると、コントローラ４０は、次のステップＳ２６で、モニタ２４の分割領域５２の標本全体画像に今回の登録番号「１」を表示し（図７参照）、この登録番号「１」をマーカーメニュー（図６）に番号ボタン７３として表示する。現時点では、標本全体画像にもマーカーメニューにも登録番号「２」〜「１２」は非表示である。
【００５５】
このようにして図１０の登録処理（１回目）が終了すると、コントローラ４０は、図８のボタン入力検出処理に戻る。
そして再び登録ボタン７１が押されると、コントローラ４０は、ステップＳ２１を経てステップＳ２２に進み、ステージ部１１上の標本１０Ａについての登録が２回目以降であるため（Ｓ２２がＮｏ）、ステップＳ２７〜Ｓ２９の処理を行う。
【００５６】
ステップＳ２７では、モニタ２４の分割領域５１の顕微鏡画像に新たなファイル名（ＤＥＦ００＊．ｂｍｐ）を付けて、フレームメモリＡから外部メモリ２７に保存する（図３の矢印▲５▼）。ファイル名（ＤＥＦ００＊．ｂｍｐ）は、互いに重複しないように決定される。
次のステップＳ２８では、現在の各部の設定状態（ステージ部のｘｙ位置，対物レンズ部の倍率，縮小レンズ部の倍率，絞り量，焦点位置，照明輝度）を取得し、ステップＳ２５で作成された状態ファイル（名前：ＡＢＣ．ｔｘｔ）を更新する。つまり、ステージ部１１のｘｙ位置（つまりステージ部１１による標本１０Ａの観察位置）および現在の観察条件（倍率，絞り量，焦点位置，照明輝度）を関連づけて、登録番号「Ｎ」と顕微鏡画像のファイル名（ＤＥＦ００＊．ｂｍｐ）と共に登録する。更新後の状態ファイル（名前：ＡＢＣ．ｔｘｔ）も、外部メモリ２７に保存される。Ｎは２〜１２の整数である。
【００５７】
その結果、外部メモリ２７の中では、図１１，図１２に示すように、以前のステップＳ２３で保存された標本全体画像のファイル（名前：ＡＢＣ．ｂｍｐ）と、ステップＳ２８で保存された状態ファイル（名前：ＡＢＣ．ｔｘｔ）とが関連づけられ、さらに状態ファイル（名前：ＡＢＣ．ｔｘｔ）とステップＳ２７で保存された顕微鏡画像のファイル（名前：ＤＥＦ００＊．ｂｍｐ）とが関連づけられる。
【００５８】
上記ステップＳ２８の処理が終わると、コントローラ４０は、次のステップＳ２９で、モニタ２４の分割領域５２の標本全体画像に今回の登録番号「Ｎ」を表示し（図７参照）、この登録番号「Ｎ」をマーカーメニュー（図６）に番号ボタン７３として表示する。
【００５９】
このようにして図１０の登録処理（２回目）が終了すると、コントローラ４０は、図８のボタン入力検出処理に戻る。そして登録ボタン７１が押される度に、コントローラ４０は、ステップＳ２１→Ｓ２２→Ｓ２７→Ｓ２８→Ｓ２９の処理を繰り返す。登録番号「Ｎ」は、登録した順序で例えば昇順に付与される。登録ボタン７１が例えば合計３回押されると、モニタ２４の分割領域５２の標本全体画像（図７参照）には番号「１」〜「３」が表示され、マーカーメニュー（図６（Ｂ）参照）には番号「１」〜「３」が番号ボタン７３として表示される。
【００６０】
次に、図１３の番号処理（Ｓ３１〜Ｓ３５）について説明する。
ここでは、ステージ部１１上の標本１０Ａを観察している最中に、または、標本１０Ａの観察が一段落したときに、マーカーメニュー（図６（Ｂ））の番号ボタン７３（例えば「１」〜「３」の何れか１つ）が押されたことを想定して説明を行う。このとき、ロード処理（図９）による標本１０Ａの取り出しは未だ行われず、標本１０Ａがステージ部１１上に載置されたままの状態であるとする。また、コントローラ４０の内部では、ステージ部１１上の標本１０Ａに対応する状態ファイル（名前：ＡＢＣ．ｔｘｔ）が一時的に記憶されて参照可能となっている。
【００６１】
このような状況で番号ボタン７３（例えば「１」〜「３」の何れか１つ）が押されると、コントローラ４０は、状態ファイル（名前：ＡＢＣ．ｔｘｔ）を参照し、押された番号ボタン７３と一致する登録番号があるか否かを判定する（ステップＳ３１）。そして「ある」場合には（Ｓ３１がＹｅｓ）、ステージ部１１上にプレパラート（標本１０Ａ）があるか否かを判定する（ステップＳ３２）。ここでは、標本１０Ａがある場合（Ｓ３２がＹｅｓ）の処理を説明する。標本１０Ａがない場合（Ｓ３２がＮｏ）の処理については後述する。
【００６２】
標本１０Ａがステージ部１１上にある場合、コントローラ４０は、状態ファイル（名前：ＡＢＣ．ｔｘｔ）を参照し、押された番号ボタン７３と一致する登録番号に登録された各部の設定状態（一組のｘｙ位置，倍率，絞り量，焦点位置，照明輝度）を読み出す（ステップＳ３３）。例えば、登録番号「２」の番号ボタン７３が押された場合には、図７に示す状態ファイル（名前：ＡＢＣ．ｔｘｔ）の中から、倍率＝１０，絞り量＝７５，ｘ座標＝１０００，ｙ座標＝２０００，焦点位置＝３０００，照明輝度＝１８０という一組の設定状態を読み出す。
【００６３】
そして次に、コントローラ４０は、状態ファイル（名前：ＡＢＣ．ｔｘｔ）から読み出した一組の設定状態に基づいて各々の回路（４１〜４７）を制御し、顕微鏡システム１０の各部を実際に電動で駆動させる。すなわち、顕微鏡システム１０の各部の設定状態を再現する（ステップＳ３４）。
具体的には、状態ファイル（名前：ＡＢＣ．ｔｘｔ）から読み出した“ｘ座標，ｙ座標”に基づいてステージ制御回路４３を制御し、例えば登録番号「２」への登録が行われたときのステージ部１１による標本１０Ａの観察位置を再現する。
【００６４】
また同時に、状態ファイル（名前：ＡＢＣ．ｔｘｔ）から読み出した“倍率”に基づいて対物レンズ駆動回路４５と縮小レンズ駆動回路４６とＣＣＤ制御回路４７を制御し、“絞り量”に基づいて絞り制御回路４２を制御し、“焦点位置”に基づいてフォーカス制御回路４４を制御し、“照明輝度”に基づいて照明制御回路４１を制御し、例えば登録番号「２」への登録が行われたときの観察条件を再現する。
【００６５】
その結果、モニタ２４の分割領域５１には、例えば登録番号「２」への登録が行われたときの顕微鏡画像が再び表示される（再現）。このため、観察者は、煩雑な調整作業を繰り返さなくても、標本１０Ａの登録番号「２」の位置を同じ条件で再び観察することができる。
このようにして図１３の番号処理（標本１０Ａの取り出し前）が終了すると、コントローラ４０は、図８のボタン入力検出処理に戻る。そして番号ボタン７３が押されるたびに、コントローラ４０は、ステップＳ３１→Ｓ３２→Ｓ３３→Ｓ３４の処理を繰り返す。
【００６６】
したがって、本実施形態の顕微鏡システム１０によれば、煩雑な調整作業を繰り返さなくても、各部の設定状態（ステージ部１１による標本１０Ａの観察位置および対物レンズ部１７の倍率などの観察条件）を容易に再現でき、標本１０Ａの所定の位置（登録済みの箇所）を以前と同じ条件で再び観察することが可能となる。
【００６７】
次に、ステージ部１１上の標本１０Ａの観察が終了し、ロード処理（図９）による標本１０Ａの取り出しが行われた後で、別の標本１０Ａ（区別するために以下の説明では“１０Ｆ”の符号を付与する）がロード処理によって取り込まれた場合を説明する。
標本１０Ｆに対する登録処理（図１０）は既に終了しているとする。外部メモリ２７の中では、図１１に示すように、標本１０Ｆの全体画像のファイル（名前：ＳＳＳ．ｂｍｐ）と状態ファイル（名前：ＳＳＳ．ｔｘｔ）とが関連づけられ、さらに、状態ファイル（名前：ＳＳＳ．ｔｘｔ）と顕微鏡画像のファイル（名前：ＫＬＭ００＊．ｂｍｐ）とが関連づけられ、一群として保存されている。
【００６８】
また、図１１の例では、別の標本の全体画像のファイル（名前：ＸＹＺ．ｂｍｐ）と状態ファイル（名前：ＸＹＺ．ｔｘｔ）とが関連づけられ、さらに、状態ファイル（名前：ＸＹＺ．ｔｘｔ）と顕微鏡画像のファイル（名前：ＧＨＩ００＊．ｂｍｐ）とが関連づけられ、一群として保存されている。
つまり、外部メモリ２７の中では、標本（１０Ａ，１０Ｆ，…）ごとに状態ファイル（名前：ＡＢＣ．ｔｘｔ，ＸＹＺ．ｔｘｔ，ＳＳＳ．ｔｘｔ，…）が作成され、状態ファイルの各々に標本全体画像（ファイル名：ＡＢＣ．ｂｍｐ，ＸＹＺ．ｂｍｐ，ＳＳＳ．ｂｍｐ，…）および顕微鏡画像（ファイル名：ＤＥＦ００＊．ｂｍｐ，ＧＨＩ００＊．ｂｍｐ，ＫＬＭ００＊．ｂｍｐ，…）が関連づけられている。
【００６９】
このときマーカーメニュー（図６）の再現ボタン７４が押されると、コントローラ４０は、図１４の再現メニュー読込処理（Ｓ４１〜Ｓ４７）を実行した後、上記と同様の番号処理（図１３のステップＳ３１→Ｓ３２→Ｓ３３→Ｓ３４）を番号ボタン７３が押されるたびに繰り返す。そのため、別の標本１０Ｆの所定の位置（登録済みの箇所）を以前と同じ条件で再び観察することができる。
【００７０】
ここで、図１４の再現メニュー読込処理（Ｓ４１〜Ｓ４７）について説明する。  再現ボタン７４が押されると、コントローラ４０は、ステージ部１１上にプレパラート（標本１０Ｆ）があるか否かを判定する（ステップＳ４１）。そして「ある」場合にのみ（Ｓ４１がＹｅｓ）、ステップＳ４２以降の処理を実行する。
ちなみに、既に行われた標本１０Ｆのロード処理（図９）の結果、モニタ２４の画面２４Ａの分割領域５２（図４）には標本１０Ｆの全体画像が表示され（図３の矢印▲２▼）、この標本１０Ｆの全体画像はコントローラ４０のフレームメモリＣにも格納される（矢印▲３▼）。現時点では、分割領域５２の標本全体画像にもマーカーメニュー（図６）にも登録番号「１」〜「１２」は非表示である。
【００７１】
そしてステップＳ４２において、コントローラ４０は、フレームメモリＣ内の標本１０Ｆの全体画像を２値化してフレームメモリＤに記憶させる（図３の矢印▲６▼）。
次に、コントローラ４０は、ステップＳ４３において、外部メモリ２７に保存されている標本全体画像のファイル（図１１ではファイル名：ＡＢＣ．ｂｍｐ，ＸＹＺ．ｂｍｐ，ＳＳＳ．ｂｍｐ）のうち何れか１つをフレームメモリＡに読み込み（図３の矢印▲７▼）、これを２値化してフレームメモリＢに記憶させる（矢印▲８▼）。
【００７２】
そして次のステップＳ４４では、フレームメモリＤ内の２値画像（標本１０Ｆの全体画像）と、フレームメモリＢ内の２値画像（外部メモリ２７から読み込んだ標本全体画像（例えばファイル名：ＡＢＣ．ｂｍｐ））を比較する。つまり、画像マッチング処理を行う。
この画像マッチング処理の結果、フレームメモリＤ，Ｂ内の２値画像が一致していない場合（ステップＳ４５がＮｏ）、コントローラ４０は、ステップＳ４３の処理に戻り、外部メモリ２７に保存されている別の標本全体画像のファイル（例えばファイル名：ＸＹＺ．ｂｍｐ）を読み込み、同様の２値化処理と画像マッチング処理を行う。
【００７３】
ステップＳ４３，Ｓ４４の処理は、フレームメモリＤ，Ｂ内の２値画像が一致する（Ｓ４５がＹｅｓとなる）まで繰り返される。これは、外部メモリ２７に保存されている標本全体画像のファイル（図１１ではファイル名：ＡＢＣ．ｂｍｐ，ＸＹＺ．ｂｍｐ，ＳＳＳ．ｂｍｐ）のうち、ステージ部１１上の標本１０Ｆの全体画像と一致するものを探索する処理に相当する。
【００７４】
探索処理（Ｓ４３，Ｓ４４）の結果、ステージ部１１上の標本１０Ｆの全体画像と一致するもの（例えばファイル名：ＳＳＳ．ｂｍｐ）が見つかった場合、コントローラ４０は、この標本全体画像（ファイル名：ＳＳＳ．ｂｍｐ）に基づいて、次のステップＳ４６，Ｓ４７の処理を実行する。
ステップＳ４６では、外部メモリ２７内で標本全体画像（ファイル名：ＳＳＳ．ｂｍｐ）に関連づけられている状態ファイル（名前：ＳＳＳ．ｔｘｔ）を特定し、この状態ファイル（名前：ＳＳＳ．ｔｘｔ）を読み込む。つまり、コントローラ４０の内部に一時的に記憶させて参照可能とする。
【００７５】
次のステップＳ４７では、読み込んだ状態ファイル（名前：ＳＳＳ．ｔｘｔ）の中に含まれている登録番号「１」〜「１２」をモニタ２４の分割領域５２の標本全体画像に表示し（図７参照）、これらの登録番号「１」〜「１２」を分割領域５４のマーカーメニュー（図６（Ａ）参照）に番号ボタン７３としても表示する。つまり、標本１０Ｆに関わる再現メニューを表示する。
【００７６】
このようにして図１４の再現メニュー読込処理が終了すると、コントローラ４０は、図８のボタン入力検出処理に戻る。
そして、マーカーメニュー（図６（Ａ）参照）の番号ボタン７３（「１」〜「１２」の何れか１つ）が押されると、コントローラ４０は、読み込んだ状態ファイル（名前：ＳＳＳ．ｔｘｔ）を参照し、既に説明した番号処理（図１３のステップＳ３１→Ｓ３２→Ｓ３３→Ｓ３４）を実行する。
【００７７】
したがって、本実施形態の顕微鏡システム１０によれば、登録処理（図１０）が既に終了している標本１０Ｆを再び内部に取り込んだ場合でも、煩雑な調整作業を繰り返すことなく、各部の設定状態（ステージ部１１による標本１０Ｆの観察位置および対物レンズ部１７の倍率などの観察条件）を容易に再現でき、標本１０Ｆの所定の位置（登録済みの箇所）を以前と同じ条件で再び観察することが可能となる。
【００７８】
さらに、本実施形態の顕微鏡システム１０によれば、図１４の再現メニュー読込処理において、画像マッチング処理を用いた探索処理（Ｓ４３，Ｓ４４）を行い、その結果に基づいて自動的に状態ファイル（例えば名前：ＳＳＳ．ｔｘｔ）を特定し、再現メニューを読み込むため、登録処理（図１０）が既に終了している標本１０Ｆを以前と同じ条件で簡単に再観察することができる。
【００７９】
また、本実施形態の顕微鏡システム１０では、筐体２６の内部にステージ部１１，照明部（１２〜１６），結像部（１７〜２１），ＣＣＤカメラ２２，制御部２３を収容し、箱形の構成としたため、標本１０Ａ，１０Ｆ，…の出し入れに拘わらず、常に同じ環境下で標本全体画像を取り込むことができる。このため、画像マッチング処理を用いた状態ファイル（例えば名前：ＳＳＳ．ｔｘｔ）の特定を精度良く行える。
【００８０】
さらに、本実施形態の顕微鏡システム１０では、画像マッチング処理の際に２値画像どうしを比較したため、簡単に状態ファイル（例えば名前：ＳＳＳ．ｔｘｔ）を特定することができる。
また、本実施形態の顕微鏡システム１０では、外部メモリ２７に保存されている顕微鏡画像の再生も簡単に行える。最後に、顕微鏡画像の再生について説明する。再生時、顕微鏡システム１０の内部に標本は挿入されない。この状態でマーカーメニュー（図６）の再生ボタン７５が押されると、コントローラ４０は、図１５の再生メニュー読込処理（Ｓ５１〜Ｓ５４）を実行する。
【００８１】
まずステップＳ５１では、図５の操作メニューの入力ボックス６９から所望のファイル名が入力されるまで待機する。この場合の入力は、通常のキーボードや、モニタ２４の画面２４Ａ上にソフトウエアで作成したキーボードを用いて行うことになる。
そしてファイル名が入力されると、次のステップＳ５２において、外部メモリ２７に保存されている標本全体画像のファイル（図１１では名前：ＡＢＣ．ｂｍｐ，ＸＹＺ．ｂｍｐ，ＳＳＳ．ｂｍｐ）のうち、入力されたファイル名に対応するもの（例えばＳＳＳ．ｂｍｐ）をフレームメモリＡに読み込み（図３の矢印▲７▼）、これをモニタ２４の分割領域５２に表示する（矢印▲２▼）。
【００８２】
ステップＳ５３では、外部メモリ２７内で標本全体画像（ファイル名：ＳＳＳ．ｂｍｐ）に関連づけられている状態ファイル（名前：ＳＳＳ．ｔｘｔ）を特定し、この状態ファイル（名前：ＳＳＳ．ｔｘｔ）を読み込む。つまり、コントローラ４０の内部に一時的に記憶させて参照可能とする。
次のステップＳ５４では、読み込んだ状態ファイル（名前：ＳＳＳ．ｔｘｔ）の中に含まれている登録番号「１」〜「１２」をモニタ２４の分割領域５２の標本全体画像に表示し（図７参照）、これらの登録番号「１」〜「１２」を分割領域５４のマーカーメニュー（図６（Ａ）参照）に番号ボタン７３としても表示する。つまり、標本１０Ｆに関わる再生メニューを表示する。
【００８３】
このようにして図１５の再生メニュー読込処理が終了すると、コントローラ４０は、図８のボタン入力検出処理に戻る。
そして、マーカーメニュー（図６（Ａ）参照）の番号ボタン７３（「１」〜「１２」の何れか１つ）が押されると、コントローラ４０は、読み込んだ状態ファイル（名前：ＳＳＳ．ｔｘｔ）を参照し、番号処理（図１３）を実行する。既に説明したステップＳ３１を経てステップＳ３２に進み、プレパラート（標本）がないため（Ｓ３２がＮｏ）、ステップＳ３５の処理を実行する。
【００８４】
ステップＳ３５では、コントローラ４０は、状態ファイル（名前：ＳＳＳ．ｔｘｔ）を参照し、押された番号ボタン７３と一致する登録番号に登録されたファイル名（ＫＬＭ００＊．ｂｍｐ）を特定する。そして、このファイル名（ＫＬＭ００＊．ｂｍｐ）の顕微鏡画像を外部メモリ２７からフレームメモリＡに読み込み（図３の矢印▲７▼）、これをモニタ２４の分割領域５１に表示する（矢印▲２▼）。つまり、所望の顕微鏡画像が簡単に再生される。
【００８５】
本実施形態の顕微鏡システム１０は、生徒と先生の間や医師と検査技師の間で行われる医療教育に好適である。生徒（検査技師）は、外部メモリ２７の中に、標本１０Ａの診断結果（標本全体画像と状態ファイルと顕微鏡画像）を保存する。そして診断終了後、先生（医師）に標本１０Ａと外部メモリ２７を提出する。先生（医師）が、生徒（検査技師）から受け取った標本１０Ａと外部メモリ２７を顕微鏡システム１０にセットし、再現ボタン７４を押した後、番号ボタン７３を押すことにより、生徒（検査技師）の診断結果を容易に再現できる。また、登録済みの箇所を再現した後、ステージ部１１の位置や観察条件を少し変化させることにより、生徒（検査技師）の診断結果が適切か否かを後から検証することができる。なお、本実施形態の顕微鏡システム１０は、組織標本に適用することが好ましい。
【００８６】
（変形例）
なお、上記した実施形態では、標本全体画像をＩＤとして画像マッチング処理により外部メモリ２７内の所望の状態ファイル（名前：ＡＢＣ．ｔｘｔ，ＸＹＺ．ｔｘｔ，ＳＳＳ．ｔｘｔ，…のうち１つ）を特定したが、図５の操作メニューの入力ボックス６９から所望の状態ファイルの名前を直接入力してもよい。この場合の入力は、通常のキーボードや、モニタ２４の画面２４Ａ上にソフトウエアで作成したキーボードを用いて行うことになる。
【００８７】
また、上記した実施形態では、標本全体画像と状態ファイルと顕微鏡画像を保存するために外部メモリ２７を使用したが、これに代えて顕微鏡システム１０内のメモリを使用してもよい。ただし、外部メモリ２７を使用した場合には、保存されている標本全体画像や顕微鏡画像をパソコンなどに表示させることができるという利点がある。
【００８８】
さらに、上記した実施形態では、標本全体画像や顕微鏡画像をパソコンなどで利用することを前提にファイル名を付与したが、この利用を想定しない場合にはファイル名の付与を省略できる。そして、顕微鏡システム１０内のメモリの決められたアドレス上に標本全体画像や顕微鏡画像を記憶させればよい。
また、上記した実施形態では、顕微鏡画像の再生時に観察者がファイル名を入力することを想定して、登録時に標本全体画像のファイル名を入力ボックス６９から入力させたが、標本全体画像のファイル名をコントローラ４０が自動的に決定してもよい。この場合、再生時にも、再現時と同様の画像マッチング処理を行い、所望の状態ファイルを特定することができる。
【００８９】
さらに、上記した実施形態では、各部の設定状態の再現モードと顕微鏡画像の再生モードを有する構成例について説明したが、再生モードを省略した顕微鏡システムにも本発明は適用できる。この場合、各部の設定状態の再現モードのみが実行可能となる。したがって、登録処理（図１０）の際に顕微鏡画像を保存する処理を省略できる。
【００９０】
また、上記した実施形態では、ＣＣＤカメラ内蔵の箱形の顕微鏡システム１０を例に説明したが、一般の顕微鏡システムにも本発明を適用できる。この場合、画像マッチング処理に先だって行う画像処理では、２値化の他に、エッジ検出（微分処理）や回転補正や位置補正などの処理を追加することが好ましい。一般の顕微鏡としては、対物レンズが交換可能な構成や、ＣＣＤカメラが着脱可能な構成などが考えられる。
【００９１】
さらに、上記した実施形態では、固定された結像部（１７〜２１）およびＣＣＤカメラ２２に対してステージ部１１を移動させる例を説明したが、本発明はこれに限定されない。固定されたステージ部１１に対して結像部（１７〜２１）およびＣＣＤカメラ２２を移動させても構わないし、ステージ部１１と結像部（１７〜２１），ＣＣＤカメラ２２の双方を相対的に移動させても構わない。
【００９２】
また、上記した実施形態では、透過照明で標本１０Ａを観察する顕微鏡システム１０の例を説明したが、反射照明（落射照明）の顕微鏡システムにも本発明を適用できる。
さらに、上記した実施形態では、接眼レンズのない顕微鏡システム１０を例に説明したが、通常の顕微鏡と同様に、接眼レンズを用いた標本の観察も可能な顕微鏡システムにも本発明は適用できる。
【００９３】
また、上記した実施形態では、プレパラート押さえ１１Ａとセンサ３９とによりステージ部１１上でのプレパラートの有無を検出したが、本発明はこれに限定されない。プレパラートの有無に拘わらず標本全体画像の取得動作を行い、実際に標本全体画像を取得できたか否かによって、ステージ部１１上でのプレパラートの有無を検出してもよい。
【００９４】
【発明の効果】
以上説明したように、本発明によれば、煩雑な調整作業を繰り返さなくても顕微鏡システムの各部の設定状態を容易に再現することができる。
【図面の簡単な説明】
【図１】本実施形態の顕微鏡システムの全体構成図である。
【図２】顕微鏡システム１０への標本１０Ａの挿入状態を示す概略図である。
【図３】コントローラ４０内のフレームメモリＡ〜Ｄを説明するブロック図である。
【図４】モニタ２４の画面２４Ａを説明する図である。
【図５】分割領域５３の操作メニューを説明する図である。
【図６】分割領域５４のマーカーメニューを説明する図である。
【図７】分割領域５２の標本全体画像に登録番号を表示した状態を説明する図である。
【図８】顕微鏡システム１０におけるボタン入力検出処理の手順を示すフローチャートである。
【図９】顕微鏡システム１０におけるロード処理の手順を示すフローチャートである。
【図１０】顕微鏡システム１０における登録処理の手順を示すフローチャートである。
【図１１】外部メモリ２７に保存された標本全体画像と状態ファイルと顕微鏡画像の関連づけを説明する図である。
【図１２】状態ファイルの一例を説明する図である。
【図１３】顕微鏡システム１０における番号処理の手順を示すフローチャートである。
【図１４】顕微鏡システム１０における再現メニュー読込処理の手順を示すフローチャートである。
【図１５】顕微鏡システム１０における再生メニュー読込処理の手順を示すフローチャートである。
【符号の説明】
１０  顕微鏡システム
１０Ａ  標本
１１  ステージ部
１２，１６  照明光源
１３  拡散板
１４  コンデンサレンズ
１５  絞り
１７  対物レンズ部
２０  縮小レンズ部
２２  ＣＣＤカメラ
２３  制御部
２４  表示装置
２５  入力装置
２６  筐体
２７  外部メモリ
３１，３２  対物レンズ
３３，３７  通過穴
３４，３８  センサ
３５，３６  縮小レンズ